(57)【要約】【課題】  土壌培地で栽培してなる植物の、吸水ポリマーを使用した人工培地での植栽を可能にする。【解決手段】  土壌培地１で栽培してなる観葉植物２や草花、花木植物を、当該培地から分離して根２１を洗浄し、特に観葉植物は洗浄後短くカットし、そのまま根をイオン交換樹脂又は更に吸水ポリマーを少量加えた馴化培地４で数日間栽培し、新根が認められたら吸水ポリマーを少量加えながら栽培を行い、新根の充分な成長を確認した後、吸水ポリマー製人工培土６で栽培してなる。【選択図】      図１ 
2005000176.tif 000002
【特許請求の範囲】
【請求項１】
土壌培地で栽培してなる観葉植物を、土壌培地から分離し、
根を洗浄後短くカットし、そのまま根をイオン交換樹脂を少量加えた水中に漬け
て数日間栽培し、新根が認められたら吸水ポリマーを少量加えながら栽培を行い
、新根の充分な成長を確認した後、吸水ポリマー製人工培土で栽培してなること
を特徴とする吸水ポリマー製人工培土による植物栽培方法。
【請求項２】
土壌培地で栽培してなる草花，花木植物を、土壌培地から分
離し、根を洗浄し、そのまま根をイオン交換樹脂及び吸水ポリマーを少量加えた
水中に漬けて数日間栽培し、新根が認められたら吸水ポリマーを少量加えながら
栽培を行い、新根の充分な成長を確認した後、吸水ポリマー製人工培土で栽培し
てなることを特徴とする吸水ポリマー製人工培土による植物栽培方法。
【請求項３】
請求項２記載の吸水ポリマー製人工培土による植物栽培方法
において、新根の成長を確認した後、旧根を短くカットし、適宜な液肥を添加し
た吸水ポリマー製人工培土で栽培してなることを特徴とする吸水ポリマー製人工
培土による植物栽培方法。
【請求項４】
土壌培地で栽培してなる草花，花木植物を、土壌培地から分
離し、根を洗浄し、根を洗浄後短くカットし、そのまま根をイオン交換樹脂並び
に適宜な液肥を加えた水中に漬けて数日間栽培し、新根が認められたら吸水ポリ
マーを少量加えながら栽培を行い、新根の充分な成長を確認した後、吸水ポリマ
ー製人工培土で栽培してなることを特徴とする吸水ポリマー製人工培土による植
物栽培方法。
【請求項５】
古紙その他を解砕した粉砕セルロースのブロック体又はシー
ト体内に、粒状又は微粒状の吸水樹脂を散在させてなることを特徴とする植物用
保水体。
【請求項６】
古紙その他を解砕した粉砕セルロースのブロック体又はシー
ト体内に、粒状又は微粒状の吸水樹脂並びに抗菌剤又は防腐剤の一方或いは双方
を散在させてなることを特徴とする植物用保水体。
【請求項７】
粉砕セルロースの一部を木綿に代えてなる請求項５又は６記
載の植物用保水体。
【請求項８】
ブロック体又はシート体に保形剤を含浸させてなる請求項５
乃至７記載の何れかの植物用保水体。
【請求項９】
保形剤として、メチルセルロース架橋体又は、ポリビニール
アルコール架橋体を採用してなる請求項５乃至８記載の何れかの植物用保水体。
【請求項１０】
吸水性樹脂又はブロック体並びにシート体に液肥を含浸さ
せてなる請求項５乃至９記載の何れかの植物用保水体。
【請求項１１】
ブロック体又はシート体の表面の一部を透水性又は非透水
性膜体で被覆してなる請求項５乃至１０記載の何れかの植物用保水体。
【請求項１２】
シート体の上面に粒状肥料を散在させると共に、不織布で
被覆してなる請求項１１記載の植物用保水体。
【請求項１３】
シート体に透水性で逆流機能を備えたフィルムを採用して
なる請求項１１又は１２記載の植物用保水体。
【請求項１４】
ブロック体の側面のみを非透水性膜体で被覆してなる請求
項１１記載の植物用保水体。
【請求項１５】
湿潤状態の古紙を粉砕乾燥した後、所定比率で吸水樹脂と
、必要に応じて抗菌剤又は防腐剤の一方又は双方と、水を加えて混合し、所定の
型若しくは保水体の一部となる部材に、収納若しくは積層して乾燥させてなるこ
とを特徴とする植物用保水体の製造方法。
【請求項１６】
湿潤古紙の一部を木綿に代えてなる請求項１５記載の植物
用保水体の製造方法。
【請求項１７】
請求項１５又は１６記載の方法で製出した保水体を、所定
濃度のタンニン酸メチルセルロース液又はポリビニールアルコール液に、適宜時
間浸漬した後乾燥させてなる植物用保水体の製造方法。
【請求項１８】
適宜な小ブロック体とした請求項５乃至１０記載の何れか
の保水体を、植物用培地として使用することを特徴とする植物用保水体の使用方
法。
【請求項１９】
適宜な小ブロック体とした請求項５乃至１０記載の何れか
の保水体と、他の吸水ポリマー体と組み合わせて、植物用培地として使用するこ
とを特徴とする植物用保水体の使用方法
【請求項２０】
請求項５乃至１１又は１４記載の何れかのブロック状の保
水体に、切り花等を刺突し、保水体部分を適宜な容器に収納して、植物等の栽培
用又は装飾用ベース体として使用してなることを特徴とする植物用保水体の使用
方法。
【請求項２１】
側面及び底面を透水性膜体で被覆した請求項１１記載のブ
ロック状の保水体に、切り花等を刺突し、植物等の栽培用又は装飾用ベース体と
して使用してなることを特徴とする植物用保水体の使用方法。
【請求項２２】
請求項５乃至１４の何れかの保水体に、適宜な水分を供給
すると共に、水分保持状態を維持させて育苗用に使用してなることを特徴とする
植物用保水体の使用方法。
【請求項２３】
ノニオン樹脂からなることを特徴とする根腐れ防止剤。
【請求項２４】
ノニオン樹脂にイオン交換樹脂を加えてなることを特徴と
する根腐れ防止剤。
【請求項２５】
ノニオン樹脂とアクリル系樹脂とを所定の割合で混合して
なることを特徴とする根腐れ防止剤。
【請求項２６】
ノニオン樹脂とアクリル系樹脂とを所定の割合で混合した
ものに肥料を加えてなることを特徴とする根腐れ防止剤。
【請求項２７】
前記ノニオン樹脂の形状は、帯状の薄板状に整形されたノ
ニオン樹脂を渦巻き状に巻いた形状であることを特徴とする請求項２３乃至２６
のいずれかに記載の根腐れ防止剤。
【請求項２８】
ノニオン樹脂を植物用培地として使用することを特徴とす
る根腐れ防止方法。
【請求項２９】
ノニオン樹脂にイオン交換樹脂を加えたものを植物用培地
として使用することを特徴とする根腐れ防止方法。
【請求項３０】
ノニオン樹脂とアクリル系樹脂とを所定の割合で混合した
ものを植物用培地として使用することを特徴とする根腐れ防止方法。
【請求項３１】
ノニオン樹脂とアクリル系樹脂とを所定の割合で混合した
ものに肥料を加えたものを植物用培地として使用することを特徴とする根腐れ防
止方法。
【請求項３２】
ノニオン樹脂からなることを特徴とする保水剤。
【請求項３３】
ノニオン樹脂を土壌中の根の近傍に配置することを特徴と
する保水方法。
【請求項３４】
ノニオン樹脂とイオン水とからなることを特徴とする保水
剤。
【請求項３５】
ノニオン樹脂とイオン水とを土壌中の根の近傍に配置する
ことを特徴とする保水方法。
【請求項３６】
ワインを添加することを特徴とする請求項１乃至４のいず
れかに記載の植物栽培方法。
【請求項３７】
ワインを添加することを特徴とする請求項５乃至１４のい
ずれかに記載の保水体。
【請求項３８】
ワインを添加することを特徴とする請求項１５乃至１７の
いずれかに記載の植物用保水体の製造方法。
【請求項３９】
ワインを添加することを特徴とする請求項１８乃至２２の
いずれかに記載の植物用保水体の使用方法。
【請求項４０】
ワインを添加することを特徴とする請求項２３乃至２７の
いずれか一つに記載の根腐れ防止剤。
【請求項４１】
ワインを添加することを特徴とする請求項２８，３１のい
ずれか一つに記載の根腐れ防止方法。
【請求項４２】
ワインを添加することを特徴とする請求項３２乃至３４の
いずれかに記載の保水剤。
【請求項４３】
ワインを添加することを特徴とする請求項３３乃至３５の
いずれかに記載の保水方法。
【請求項４４】
ナツメグを添加することを特徴とする請求項１乃至４のい
ずれかに記載の植物栽培方法。
【請求項４５】
ナツメグを添加することを特徴とする請求項５乃至１４の
いずれかに記載の保水体。
【請求項４６】
ナツメグを添加することを特徴とする請求項１５乃至１７
のいずれかに記載の植物用保水体の製造方法。
【請求項４７】
ナツメグを添加することを特徴とする請求項１８乃至２２
のいずれかに記載の植物用保水体の使用方法。
【請求項４８】
ナツメグを添加することを特徴とする請求項２３乃至２７
のいずれか一つに記載の根腐れ防止剤。
【請求項４９】
ナツメグを添加することを特徴とする請求項２８，３１の
いずれか一つに記載の根腐れ防止方法。
【請求項５０】
ナツメグを添加することを特徴とする請求項３２乃至３４
のいずれかに記載の保水剤。
【請求項５１】
ナツメグを添加することを特徴とする請求項３３乃至３５
のいずれかに記載の保水方法。
【請求項５２】
カテキンを添加することを特徴とする請求項１乃至４のい
ずれかに記載の植物栽培方法。
【請求項５３】
カテキンを添加することを特徴とする請求項５乃至１４の
いずれかに記載の保水体。
【請求項５４】
カテキンを添加することを特徴とする請求項１５乃至１７
のいずれかに記載の植物用保水体の製造方法。
【請求項５５】
カテキンを添加することを特徴とする請求項１８乃至２２
のいずれかに記載の植物用保水体の使用方法。
【請求項５６】
カテキンを添加することを特徴とする請求項２３乃至２７
のいずれか一つに記載の根腐れ防止剤。
【請求項５７】
カテキンを添加することを特徴とする請求項２８，３１の
いずれか一つに記載の根腐れ防止方法。
【請求項５８】
カテキンを添加することを特徴とする請求項３２乃至３４
のいずれかに記載の保水剤。
【請求項５９】
カテキンを添加することを特徴とする請求項３３乃至３５
のいずれかに記載の保水方法。
【請求項６０】
キトサンを添加することを特徴とする請求項１乃至４のい
ずれかに記載の植物栽培方法。
【請求項６１】
キトサンを添加することを特徴とする請求項５乃至１４の
いずれかに記載の保水体。
【請求項６２】
キトサンを添加することを特徴とする請求項１５乃至１７
のいずれかに記載の植物用保水体の製造方法。
【請求項６３】
キトサンを添加することを特徴とする請求項１８乃至２２
のいずれかに記載の植物用保水体の使用方法。
【請求項６４】
キトサンを添加することを特徴とする請求項２３乃至２７
のいずれか一つに記載の根腐れ防止剤。
【請求項６５】
キトサンを添加することを特徴とする請求項２８，３１の
いずれか一つに記載の根腐れ防止方法。
【請求項６６】
キトサンを添加することを特徴とする請求項３２乃至３４
のいずれかに記載の保水剤。
【請求項６７】
キトサンを添加することを特徴とする請求項３３乃至３５
のいずれかに記載の保水方法。
【請求項６８】
除菌剤を添加することを特徴とする請求項１乃至４のいず
れかに記載の植物栽培方法。
【請求項６９】
除菌剤を添加することを特徴とする請求項５乃至１４のい
ずれかに記載の保水体。
【請求項７０】
除菌剤を添加することを特徴とする請求項１５乃至１７の
いずれかに記載の植物用保水体の製造方法。
【請求項７１】
除菌剤を添加することを特徴とする請求項１８乃至２２の
いずれかに記載の植物用保水体の使用方法。
【請求項７２】
除菌剤を添加することを特徴とする請求項２３乃至２７の
いずれか一つに記載の根腐れ防止剤。
【請求項７３】
除菌剤を添加することを特徴とする請求項２８，３１のい
ずれか一つに記載の根腐れ防止方法。
【請求項７４】
除菌剤を添加することを特徴とする請求項３２乃至３４の
いずれかに記載の保水剤。
【請求項７５】
除菌剤を添加することを特徴とする請求項３３乃至３５の
いずれかに記載の保水方法。
【請求項７６】
抗菌剤を添加することを特徴とする請求項１乃至４のいず
れかに記載の植物栽培方法。
【請求項７７】
抗菌剤を添加することを特徴とする請求項５乃至１４のい
ずれかに記載の保水体。
【請求項７８】
抗菌剤を添加することを特徴とする請求項１５乃至１７の
いずれかに記載の植物用保水体の製造方法。
【請求項７９】
抗菌剤を添加することを特徴とする請求項１８乃至２２の
いずれかに記載の植物用保水体の使用方法。
【請求項８０】
抗菌剤を添加することを特徴とする請求項２３乃至２７の
いずれか一つに記載の根腐れ防止剤。
【請求項８１】
抗菌剤を添加することを特徴とする請求項２８，３１のい
ずれか一つに記載の根腐れ防止方法。
【請求項８２】
抗菌剤を添加することを特徴とする請求項３２乃至３４の
いずれかに記載の保水剤。
【請求項８３】
抗菌剤を添加することを特徴とする請求項３３乃至３５の
いずれかに記載の保水方法。
【請求項８４】
防腐剤を添加することを特徴とする請求項１乃至４のいず
れかに記載の植物栽培方法。
【請求項８５】
防腐剤を添加することを特徴とする請求項５乃至１４のい
ずれかに記載の保水体。
【請求項８６】
防腐剤を添加することを特徴とする請求項１５乃至１７の
いずれかに記載の植物用保水体の製造方法。
【請求項８７】
防腐剤を添加することを特徴とする請求項１８乃至２２の
いずれかに記載の植物用保水体の使用方法。
【請求項８８】
防腐剤を添加することを特徴とする請求項２３乃至２７の
いずれか一つに記載の根腐れ防止剤。
【請求項８９】
防腐剤を添加することを特徴とする請求項２８，３１のい
ずれか一つに記載の根腐れ防止方法。
【請求項９０】
防腐剤を添加することを特徴とする請求項３２乃至３４の
いずれかに記載の保水剤。
【請求項９１】
防腐剤を添加することを特徴とする請求項３３乃至３５の
いずれかに記載の保水方法。
【請求項９２】
ノニオン樹脂を使用した植物栽培方法。
【請求項９３】
ノニオン樹脂とアクリル系樹脂を使用した植物栽培方法。
【請求項９４】
ノニオン樹脂とイオン交換樹脂を使用した植物栽培方法。
【請求項９５】
ノニオン樹脂とアクリル系樹脂とイオン交換樹脂を使用し
た植物栽培方法。
【請求項９６】
ノニオン樹脂と肥料を使用した植物栽培方法。
【請求項９７】
アクリル系樹脂や他の植物栽培用樹脂とイオン交換樹脂を
使用した植物栽
培方法。
【請求項９８】
ノニオン樹脂と肥料とイオン交換樹脂を使用した植物栽
培方法。
【請求項９９】
アクリル系樹脂とイオン交換樹脂を使用した植物栽培方
法。
【請求項１００】
ノニオン樹脂の肥料入り土壌剤。
【請求項１０１】
ノニオン樹脂のろ過剤。
【請求項１０２】
ノニオン樹脂を稲作に使用する栽培方法。
【請求項１０３】
ノニオン樹脂とイオン交換樹脂を使用する栽培方法。
【請求項１０４】
ノニオン樹脂抗菌剤を使用した植物栽培方法。
【請求項１０５】
鉢内のハイドロコーン又は土の量の２０乃至４０重量パ
ーセントのノニオン樹脂をガーデンマットとして鉢底に使用することを特徴とす
る植物の生育方法。
【請求項１０６】
前記ノニオン樹脂にイオン交換樹脂０．１乃至０．２ｇ
を添加することを特徴とする請求項１０５記載の植物の生育方法。
【請求項１０７】
前記ノニオン樹脂をアクリル系樹脂に添加することを特
徴とする請求項１０５記載の植物の生育方法。
【請求項１０８】
ノニオン樹脂を用いた水耕栽培の植物培地と栽培方法。
【請求項１０９】
土の代わりにノニオン樹脂を用いた栽培方法。
【請求項１１０】
ノニオン樹脂を土壌に混ぜることを特徴とした土壌改良
方法。
【請求項１１１】
ポリビニルアルコールとポリオキシエチレンと肥料を吸
着した植物培地と保水剤。
【請求項１１２】
ポリビニルアルコールとポリオキシエチレンとイオン交
換樹脂を使用した植物培地と保水剤。
【請求項１１３】
ポリビニルアルコールの水耕栽培の植物培地。
【請求項１１４】
ポリビニルアルコールの水耕栽培の鉢底使用をすること
を特徴とする植物栽培方法。
【請求項１１５】
ポリビニルアルコールとポリオキシエチレンの鉢底使用
することを特徴とする水耕栽培方法。
【発明の詳細な説明】
【技術分野】
【０００１】
本発明は、土壌栽培植物を吸水ポリマー製人工培土に植え替えして栽培する植
物の栽培方法、植物培地，切り花等の栽培用や装飾用のベース体，育苗床，包装
用等として使用される植物用保水体及びその製造方法並びにその使用方法、根腐
れを防止する根腐れ防止方法、並びに保水剤に関するものである。
【背景技術】
【０００２】
吸水ポリマー製の人工培土による植物栽培は、透明容器に着色ポリマー培土を
使用することで、カラフルなものとなり、室内観賞用栽培として行われているこ
とが知られている（実開昭６０−１３３７７６号公報、実開平６−５２４２４号
公報）。また人工培土となる吸水ポリマーも種々提案されている
【０００３】
【特許文献１】特開平８−２５６５９２号公報
【発明の開示】
【発明が解決しようとする課題】
【０００４】
ところでこれらの吸水製ポリマーの人工培地での植物の栽培は、水耕栽培植物
に限られていた。即ち土壌栽培した植物をそのまま水耕栽培や吸水ポリマー製培
土に植え替えると、根腐れを起こし、植物が枯れてしまう。
【０００５】
そこで本発明者は、植物に馴化過程を施すことで、土壌栽培植物の吸水ポリマ
ー培土への植え替え栽培が可能となることを知見し、本件発明を提案したもので
ある。
また、室内観賞用鉢植えの培地として吸水性樹脂（吸水ポリマー）が採用され
ていることは公知である（実開平６−５２４２４号、登録実用新案３０５７６２
２号）。吸水樹脂（熱可塑性ノニオン型樹脂）は、保持している水分を直接植物
の根に供給できるので培地として適している。
【０００６】
しかし現在その使用形態は、ブロック状にしての鉢植えとしてしか使用されて
いない。そこで本発明は、吸水ポリマーをより有効に使用できる新規な構造の保
水体を提案したものである。
【０００７】
また切り花や榊などの枝切り植物を、室内等に飾るための植物保持体として「
オアシス（商標）」と称される発泡体やスポンジ体が知られている。この発泡体
やスポンジ体は、植物を刺突できる硬度のもので、水中に配置することで部材内
に水が浸透し、刺突された植物への給水を実現するものである。
【０００８】
ところで前記発泡体等は、必ずしも外見上綺麗なものであるとは言えないので
、切り花などの室内装飾に際しては、適宜な花瓶内に発泡体を収納したり、発泡
体部分を防水紙でラッピングして隠し、安定性付与のために籐篭等に収納して飾
る様にしている。
【０００９】
しかし透明容器を採用した場合に、前記発泡体を隠すために吸水ポリマーを発
泡体周囲に配置すると、蒸発等によって吸水ポリマーの水分が減少した分、発泡
体に保持されている水分を吸水してしまうので、植物への給水能力が減じてしま
い、花が長持ちしない。そこで本発明は、吸水ポリマーとの併用も容易に実現で
きる保水体及びその使用を提案したものである。
【００１０】
また、近年、二酸化炭素の増加による地球温暖化の防止を目的として植樹の重
要性が叫ばれているが、かつて吸水性樹脂を用いた植物の栽培は困難であった。
それは、アクリル系樹脂を用いていたためである。即ち、アクリル系樹脂は、吸
水性は高いが、アクリル系樹脂から離水される水を腐敗させることなく、植物を
栽培しなければならないからである。
【００１１】
また、水を腐敗させることなく肥料濃度を高めることにより、その肥料のイオ
ンを植物が吸収し、生育するが、植物から排出される樹液を吸着しないと、汚れ
た有機酸が貯まる。このため、植物を植えてから３乃至５日は元気であるが、約
１週間で元気がなくなり、少しずつ枯れたり衰えたりする。これは、植物が根腐
れを起こしていることを示しており、アクリル系樹脂を植物の培地として使用し
たとき、植物の成育は困難であることを示している。
【００１２】
これらの問題を解決する根腐れ防止剤はあるが、この根腐れ防止剤を併用して
も、アクリル系樹脂から溶け出る肥料イオンを吸収し、成育する植物の根は水耕
栽培の根である。室内園芸では栽培は可能であるが、土壌体においては水耕栽培
の根は腐り、アクリル系樹脂が多いと水耕栽培の根となり、土壌体の根が腐る。
そこで本発明は、イオンを含有していないノニオン樹脂の吸着作用と除菌作用を
利用して、根腐れ防止効果を有する新たな培地を提案したものである。
【課題を解決するための手段】
【００１３】
本発明に係る吸水ポリマー製人工培土による植物栽培方法は、土壌培地で栽培
してなる観葉植物や草花，花木植物を、土壌培地から分離して根を洗浄し、洗浄
後に根をそのまま或いはカットし、根をイオン交換樹脂又は更に液肥や吸水ポリ
マーを少量加えた水中に漬けて数日間栽培し、新根が認められたら必要に応じて
吸水ポリマーを少量加えながら栽培を行い、新根の充分な成長を確認した後、吸
水ポリマー製人工培土で栽培してなることを特徴とするものである。
従って土壌栽培の植物は、水耕栽培状態に一旦移し替えられるが、イオン交換
樹脂の活性化機能によって、新根の発生が促進され、水耕栽培に対応した新根の
成長やカットされた根の再成長で、水耕栽培対応が可能となり、吸水ポリマー製
培土での植栽が可能となるものである。
また、本発明に係る植物用保水体は、古紙その他を解砕した粉砕セルロースの
ブロック体又はシート体内に、粒状又は微粒状の吸水樹脂を散在させてなること
を特徴とするものである。
またブロック体又はシート体内に、必要に応じて抗菌剤や防腐剤を散在させた
り、液肥を含浸させたり、表面を透水性又は非透水性膜体で被覆してなることを
特徴とするものである。
従ってセルロースマトリックスに吸水樹脂が内在しているので、吸水させて保
水状態とすると、植物培地，切り花等の栽培用や装飾用のベース体，育苗床とし
て使用でき、更にシート状にして切り花の包装用として使用できるもので、水分
補給がなされなくとも、保水体内の吸水樹脂が担持している水分によって植物へ
の給水が可能である。また特に液肥を含浸させたり、抗菌剤等を混在させること
で、植え替えの失敗を少なくし、更に切り花等を長持ちさせることもできる。
請求項２３に記載の根腐れ防止剤は、ノニオン樹脂を植物用培地として使用す
ることを特徴とする。
請求項２４に記載の根腐れ防止剤は、ノニオン樹脂にイオン交換樹脂を加えた
ものを植物用培地として使用することを特徴とする。
請求項２５に記載の根腐れ防止剤は、ノニオン樹脂とアクリル系樹脂とを所定
の割合で混合したものを植物用培地として使用することを特徴とする。
請求項２６に記載の根腐れ防止剤は、ノニオン樹脂とアクリル系樹脂とを所定
の割合で混合したものに肥料を加えたものを植物用培地として使用することを特
徴とする。
また、ノニオン樹脂の形状は、帯状の薄板状に整形されたノニオン樹脂を渦巻
き状に巻いた形状とすることができる。
請求項２８に記載の根腐れ防止方法は、ノニオン樹脂を植物用培地として使用
することを特徴とする。
請求項２９に記載の根腐れ防止方法は、ノニオン樹脂にイオン交換樹脂を加え
たものを植物用培地として使用することを特徴とする。
請求項３０に記載の根腐れ防止方法は、ノニオン樹脂とアクリル系樹脂とを所
定の割合で混合したものを植物用培地として使用することを特徴とする。
請求項３１に記載の根腐れ防止方法は、ノニオン樹脂とアクリル系樹脂とを所
定の割合で混合したものに肥料を加えたものを植物用培地として使用することを
特徴とする。
請求項３２に記載の保水剤は、ノニオン樹脂からなることを特徴とする。
請求項３３に記載の保水方法は、ノニオン樹脂を土壌中の根の近傍に配置する
ことを特徴とする。
請求項３４に記載の保水剤は、ノニオン樹脂とイオン水とからなることを特徴
とする。
請求項３５に記載の保水方法は、ノニオン樹脂とイオン水とを土壌中の根の近
傍に配置することを特徴とする。
請求項３６に記載の植物栽培方法は、ワインを添加することを特徴とする。
請求項３７に記載の保水体は、ワインを添加することを特徴とする。
請求項３８に記載の植物用保水体の製造方法は、ワインを添加することを特徴
とする。
請求項３９に記載の植物用保水体の使用方法は、ワインを添加することを特徴
とする。
請求項４０に記載の根腐れ防止剤は、ワインを添加することを特徴とする。
請求項４１に記載の根腐れ防止方法は、ワインを添加することを特徴とする。
請求項４２に記載の保水剤は、ワインを添加することを特徴とする。
請求項４３に記載の保水方法は、ワインを添加することを特徴とする。
請求項４４に記載の植物栽培方法は、ナツメグを添加することを特徴とする。
請求項４５に記載の保水体は、ナツメグを添加することを特徴とする請求項５
乃至１４のいずれか。
請求項４６に記載の植物用保水体の製造方法は、ナツメグを添加することを特
徴とする。
請求項４７に記載の植物用保水体の使用方法は、ナツメグを添加することを特
徴とする。
請求項４８に記載の根腐れ防止剤は、ナツメグを添加することを特徴とする。
請求項４９に記載の根腐れ防止方法は、ナツメグを添加することを特徴とする
。
請求項５０に記載の保水剤は、ナツメグを添加することを特徴とする。
請求項５１に記載の保水方法は、ナツメグを添加することを特徴とする。
請求項５２に記載の植物栽培方法は、カテキンを添加することを特徴とする。
請求項５３に記載の保水体は、カテキンを添加することを特徴とする。
請求項５４に記載の植物用保水体の製造方法は、カテキンを添加することを特
徴とする。
請求項５５に記載の植物用保水体の使用方法は、カテキンを添加することを特
徴とする。
請求項５６に記載の根腐れ防止剤は、カテキンを添加することを特徴とする。
請求項５７に記載の根腐れ防止方法は、カテキンを添加することを特徴とする
。
請求項５８に記載の保水剤は、カテキンを添加することを特徴とする。
請求項５９に記載の保水方法は、カテキンを添加することを特徴とする。
請求項６０に記載の植物栽培方法は、キトサンを添加することを特徴とする。
請求項６１に記載の保水体は、キトサンを添加することを特徴とする。
請求項６２に記載の植物用保水体の製造方法は、キトサンを添加することを特
徴とする。
請求項６３に記載の植物用保水体の使用方法は、キトサンを添加することを特
徴とする。
請求項６４に記載の根腐れ防止剤は、キトサンを添加することを特徴とする。
請求項６５に記載の根腐れ防止方法は、キトサンを添加することを特徴とする
。
請求項６６に記載の保水剤は、キトサンを添加することを特徴とする。
請求項６７に記載の保水方法は、キトサンを添加することを特徴とする。
請求項６８に記載の植物栽培方法は、除菌剤を添加することを特徴とする。
請求項６９に記載の保水体は、除菌剤を添加することを特徴とする。
請求項７０に記載の植物用保水体の製造方法は、除菌剤を添加することを特徴
とする。
請求項７１に記載の植物用保水体の使用方法は、除菌剤を添加することを特徴
とする。
請求項７２に記載の根腐れ防止剤は、除菌剤を添加することを特徴とする。
請求項７３に記載の根腐れ防止方法は、除菌剤を添加することを特徴とする。
請求項７４に記載の保水剤は、除菌剤を添加することを特徴とする。
請求項７５に記載の保水方法は、除菌剤を添加することを特徴とする。
請求項７６に記載の植物栽培方法は、抗菌剤を添加することを特徴とする。
請求項７７に記載の保水体は、抗菌剤を添加することを特徴とする。
請求項７８に記載の植物用保水体の製造方法は、抗菌剤を添加することを特徴
とする。
請求項７９に記載の植物用保水体の使用方法は、抗菌剤を添加することを特徴
とする。
請求項８０に記載の根腐れ防止剤は、抗菌剤を添加することを特徴とする。
請求項８１に記載の根腐れ防止方法は、抗菌剤を添加することを特徴とする。
請求項８２に記載の保水剤は、抗菌剤を添加することを特徴とする。
請求項８３に記載の保水方法は、抗菌剤を添加することを特徴とする。
請求項８４に記載の植物栽培方法は、防腐剤を添加することを特徴とする。
請求項８５に記載の保水体は、防腐剤を添加することを特徴とする。
請求項８６に記載の植物用保水体の製造方法は、防腐剤を添加することを特徴
とする。
請求項８７に記載の植物用保水体の使用方法は、防腐剤を添加することを特徴
とする。
請求項８８に記載の根腐れ防止剤は、防腐剤を添加することを特徴とする。
請求項８９に記載の根腐れ防止方法は、防腐剤を添加することを特徴とする。
請求項９０に記載の保水剤は、防腐剤を添加することを特徴とする。
請求項９１に記載の保水方法は、防腐剤を添加することを特徴とする。
請求項９２に記載の植物栽培方法は、ノニオン樹脂を使用したことを特徴とす
る。
請求項９３に記載の植物栽培方法は、ノニオン樹脂とアクリル系樹脂を使用し
たことを特徴とする。
請求項９４に記載の植物栽培方法は、ノニオン樹脂とイオン交換樹脂を使用し
たことを特徴とする。
請求項９５に記載の植物栽培方法は、ノニオン樹脂とアクリル系樹脂とイオン
交換樹脂を使用したことを特徴とする。
請求項９６に記載の植物栽培方法は、ノニオン樹脂と肥料を使用したことを特
徴
とする。
請求項９７に記載の植物栽培方法は、アクリル系樹脂や他の植物栽培用樹脂と
イオン交換樹脂を使用したことを特徴とする。
請求項９８に記載の植物栽培方法は、ノニオン樹脂と肥料とイオン交換樹脂
を使用したことを特徴とする。
請求項９９に記載の植物栽培方法は、アクリル系樹脂とイオン交換樹脂を使
用したことを特徴とする。
請求項１００に記載の土壌剤は、ノニオン樹脂の肥料入りであることを特徴と
する。。
請求項１０１に記載のろ過剤は、ノニオン樹脂であることを特徴とする。
請求項１０２に記載の栽培方法は、ノニオン樹脂を稲作に使用することを特徴
とする。
請求項１０３に記載の栽培方法は、ノニオン樹脂とイオン交換樹脂を使用する
ことを特徴とする。
請求項１０４に記載の栽培方法は、ノニオン樹脂抗菌剤を使用したことを特徴
とする。
請求項１０５に記載の植物の生育方法は、鉢内のハイドロコーン又は土の量の
２０乃至４０重量パーセントのノニオン樹脂をガーデンマットとして鉢底に使用
することを特徴とする。
請求項１０６に記載の植物の生育方法は、前記ノニオン樹脂にイオン交換樹脂
０．１乃至０．２ｇを添加することを特徴とする。
請求項１０７に記載の植物の生育方法は、前記ノニオン樹脂をアクリル系樹脂
に添加することを特徴とする。
請求項１０８に記載の水耕栽培の植物培地と栽培方法は、ノニオン樹脂を用い
たことを特徴とする。
請求項１０９に記載の栽培方法は、土の代わりにノニオン樹脂を用いたことを
特徴とする。
請求項１１０に記載の土壌改良方法は、ノニオン樹脂を土壌に混ぜることを特
徴とする。
請求項１１１に記載の植物培地と保水剤は、ポリビニルアルコールとポリオキ
シエチレンと肥料を吸着したことを特徴とする。
請求項１１２に記載の植物培地と保水剤は、ポリビニルアルコールとポリオキ
シエチレンとイオン交換樹脂を使用したことを特徴とする。
請求項１１３に記載の植物培地は、ポリビニルアルコールの水耕栽培であるこ
とを特徴とする。
請求項１１４に記載の植物栽培方法は、ポリビニルアルコールの水耕栽培の鉢
底使用をすることを特徴とする。
請求項１１５に記載の水耕栽培方法は、ポリビニルアルコールとポリオキシエ
チレンの鉢底使用することを特徴とする。
【発明の効果】
【００１４】
以上のように本発明は、土壌栽培植物を吸水ポリマー製人工培土に植え替えて
栽培する際に、一旦イオン交換樹脂を添加してなる馴化培地での栽培を行い、新
根の成長を待って吸水ポリマー製人工培土による植栽に移行するようにしたもの
で、土壌栽培植物の吸水ポリマー製人工培土での植栽を可能としたものである。
また、本発明は、紙の粉砕セルロースのブロック体又はシート体内に、粒状又
は微粒状の吸水樹脂を散在させたり、更に液肥又は抗菌剤等を散在保持させてな
る植物用保水体で、所望の有効成分並びに所定の保水機能を具備させることがで
きたもので、他の給水ポリマー樹脂と併用しても保水機能が阻害されことがなく
、その利用範囲は広く、植物の室内装飾その他に便利な器具を提供できたもので
ある。
また、本発明は、ノニオン樹脂を植物用培地として使用するようにしたので、
土壌体の植物を容易に植え替えることができる。また、ノニオン樹脂には根腐れ
防止効果及び保水効果があり、手間をかけなくても植物を長持ちさせることがで
きる。
【発明を実施するための最良の形態】
【００１５】
次に、本発明の吸水ポリマー製人工培土による植物栽培方法に係る実施の形態
について説明する。図１は本発明の第一実施形態で観葉植物に適用するものであ
る。
【００１６】
第一に土壌培地１で栽培している観葉植物２を、土壌培地１から掘り出し分離
し、根２１を洗浄する。洗浄後約根２１の１／３（シダ類は２／３）を残してカ
ットし、そのまま根２１をイオン交換樹脂（イオン交換樹脂栄養剤）３並びに必
要によって適宜量の液肥を少量加えた馴化培地（容器５を使用）４に付けて数日
間（３〜１０日）栽培する。
イオン交換樹脂３は、栄養剤が混入された市販のもので、栄養剤成分は、蒸留
水１リットルにイオン交換樹脂栄養剤を０．５グラム（ｇ）添加後２０℃で１週
間放置した水溶液の測定で、全窒素１．６ミリグラム（ｍｇ）／リットル、リン
酸０．０５ｍｇ／リットル、カリウム１．５ｍｇ／リットルが認められたものを
使用した。
【００１７】
前記の水耕栽培で、新根が認められると、吸水ポリマー製人工培土６を少量加
えながら栽培を行う。吸水ポリマー製人工培土６は、熱可塑性ノニオン型吸水樹
脂で形成され、吸水膨潤時に、一辺が０．５〜２ｃｍ程度の立方体となるように
切断してなるもので、吸水状態で水１に対して約１／３となる程度の少量を加え
る。
【００１８】
尚イオン交換樹脂栄養剤３並びに吸水ポリマー製人工培土６は、新根の成長に
合わせて、適宜量増加させる。
【００１９】
新根が０．５〜１ｃｍ程度の成長を確認したら、吸水ポリマー製人工培土６を
収納した容器５に植え替え、吸水ポリマー製人工培土６による栽培を行うもので
ある。勿論再度の植え替えを行わずに、吸水ポリマー製人工培土６の添加による
ポリマー培土への変更としても良い。
【００２０】
図２は本発明の第二実施形態で、草花，花木植物に適用するものである。基本
的には前記した観葉植物の第一実施形態と同様であるが、土壌培地１で栽培して
いる草花植物２ａを、土壌培地１から掘り出し分離し、根２１ａを洗浄する。然
し根２１ａは切断しない。
【００２１】
馴化過程は、水に吸水ポリマー製人工培土６を少量（水１に対してポリマー１
／３）とイオン交換樹脂栄養剤３を少量（水２００〜３００ｃｃに対して０．５
ｇ）加えた馴化培地４ａを使用するもので、適宜な容器５に前記馴化培地４ａを
収納し、これに前記草花植物２ａの根２１ａを漬けて栽培する。
【００２２】
３〜４日又は植物の種類によっては約１０日で新根や新芽が出てくるので、そ
こで吸水ポリマーを添加し、馴化培地４ａの水分をポリマーに吸水させて、馴化
培地４ａを吸水ポリマー製人工培土６に変更して、栽培を継続する。特にミニバ
ラやガーベラ等の長い根や太い根は１／３〜１／２を除去して植え替える。
【００２３】
また特にカトレア，デンドロビウムのようなラン科の植物は、前記の馴化過程
（水１に対しては吸水ポリマー培土１／２）において、古い根の根腐れを起こさ
せながら新根の成長を待ち、一旦花を開花させたのち又は開花前に旧根をカット
し、吸水ポリマー培土に植え替える。
【００２４】
本発明の第三実施形態（図示せず）は、草花，花木植物に適用するもので、基
本的には前記した観葉植物の第一実施形態と同様に、根をカットするものである
。即ち土壌培地で栽培している草花，花木植物を、土壌培地から掘り出し分離し
、根を洗浄し、洗浄後約根の１／３〜１／２をカットし、そのまま根を馴化培地
で栽培する。馴化培地は、イオン交換樹脂と液肥を添加したもので、カットした
根の成長や新根の成長を観察しながら、イオン交換樹脂栄養剤並びに液肥を追加
する。
【００２５】
前記の水耕栽培は３〜１０日程度行い、根の成長が認められると、吸水ポリマ
ーを少量加えながら栽培を行う。新根の充分な成長を確認した後、吸水ポリマー
製人工培土で栽培する。
【００２６】
前記の吸水ポリマー製人工培土６による栽培に際しては、必要に応じて適宜な
液肥を加え、培地が汚れた場合には、一旦吸水ポリマーを水洗し、拭浄の後、薄
めた液肥やイオン交換樹脂栄養剤を添加して栽培を継続する。
【００２７】
次に、図３に示すとおり、本発明に係る保水体の各実施形態を、その製造過程
にそって説明する。最初に保水体の本体を構成するセルロースマトリックスは、
古紙３１（古紙以外の紙でも良い）や、必要に応じて木綿３２（木綿は特に付け
加えなくとも良い）を湿潤させてミキサー３３で粉砕し、一旦乾燥して粉砕セル
ロース３４を得る。次に前記粉砕セルロース３４と、市販の熱可塑性ノニオン型
吸水樹脂３５（ノニオン型に限定されないし、使用植物に対応して粉末や粒体を
選択採用する）と、水３６とを混合攪拌して、所定の型（ブロック形状でも、シ
ート形状でも良いし、またその大きさも任意である）３７に収納し、乾燥させる
。
【００２８】
尚粉砕セルロース３４と、市販の熱可塑性ノニオン型吸水樹脂３５と水３６の
混合比率の例を挙げるとするならば、古紙９０ｇ水１０ｇと樹脂５０〜１００ｇ
程度の重量割合とする。
【００２９】
また前記の混合攪拌に際して、必要に応じて抗菌剤（銀、銅、カテキン、ナツ
メグ他）３８や、防腐剤（硫酸銅、塩化亜鉛、ソルビン酸、安息香酸、ホウ酸等
）や香料等を添加して、セルロースマトリックス内に散在させてなる。
【００３０】
前記の成形型から取り出したブロック体Ａやシート体Ｂは、そのまま本件発明
の保水体として使用できる。またブロック体Ａ又はシート体Ｂを裁断してサイコ
ロ状の保水体Ｃとして使用できる。
【００３１】
前記の保水体Ａ，Ｂの形成に際して、紙製箱体や筒体、更には紙シート、紙シ
ートの裏面に透水性若しくは非透水性の被膜を被着した部材で、保水体の一部を
構成するものを前記成形型に替えて採用しても良い。
【００３２】
次に保水体Ａの保形性を高めるために、水溶性で且つ乾燥によって架橋構造と
なる保形剤（タンニン酸メチルセルロース又はポリビニールアルコール）３９の
水溶液中に保水体Ａを浸漬し、乾燥させ架橋構造を得る。水溶液の濃度並びに浸
漬時間によって、前記保形剤３９は、透水性被膜としても作用させることもでき
、その透水能力も水溶液のモル濃度調整で任意にできる。
【００３３】
更に保形性を高めた保水体Ｄは、そのまま使用できるし、裁断してサイコロ状
の保水体Ｅとすることもできる。また保水体Ａ，Ｄを液肥４０に漬け込んで液肥
４０を含有させ、液肥を含有した保水体Ａ１，Ｄ１を製出する。
【００３４】
また保水体Ａ，Ｄ，Ａ１，Ｄ１の側面や底面を適宜な非透水性フィルム又は透
水性フィルムなどの周面被膜４１で被覆して、保水性能を高めた保水体Ｆを製出
する。
【００３５】
尚周面被膜４１は、保水体Ａ，Ｄ，Ａ１，Ｄ１に直接被着させずに、別に筒状
の被覆体４１ａを形成し、この被覆体４１ａに保水体Ａ，Ｄ，Ａ１，Ｄ１を装着
するようにしても良い（図１３参照）。前記構成を採用すると、被覆体４１ａと
保水体Ａ，Ｄ，Ａ１，Ｄ１とが着脱できる利点がある。
【００３６】
図４に例示するとおり、シート状に形成した保水体Ｂにおいても更に加工を施
すことで、より使い易い保水体を提供できるもので、具体的には、シート状保水
体Ｂをそのまま、或いは液肥４０や固形肥料４０ａ又はセルロースマトリックス
形成時に添加混合しなかった抗菌剤等を上面に散布し、散布した固形分の飛散を
防止するように上面を透水性被膜（例えば不織布）４２で被覆することで、保水
体Ｇを製出する。
【００３７】
更に保水体Ｂの下面（包装使用時の外面）に、非透水性被膜（防水被膜）４３
を被着して、保水体Ｈを製出する。更に上面は透水性被膜４２で被覆し、下面を
非透水性被膜４３その他で被覆する保水体Ｉであっても良い。尚非透水性被膜と
して、透水性且つ逆流機能を備えたフィルムを採用しても良い。
【００３８】
また特に前記保水体Ｉにおいて、保水体Ｂの下方に適宜な積層体例えば、保水
体Ｂの下方に珪酸塩白土（又はシリカ）４４、木綿３２を重ね、最下面を防水シ
ート（非透水性被膜）４３で被覆し、保水体上面を不織布４２で被覆した保水体
Ｉ１に形成しても良い。
【００３９】
次に前記保水体の使用方法について説明する。最も一般的な使用手段としては
、植物育成用培地として使用するものである。培地としての使用は、サイコロ状
の保水体Ｃ，Ｅが適しており、且つその使用目的に応じて、所定の液肥や抗菌剤
，更には香料，色料，イオン交換樹脂粒など必要に応じて保水体Ｃ，Ｅに担持さ
せることができる。
【００４０】
＜第一使用例＞具体的には図５に示したように、他の吸水ポリマー培地ａとの
混合使用も可能であり、特に植え替え等において吸水ポリマー培地ａにおける植
物育成有効成分の不足成分を予めセルロースマトリックス（保水体Ｃ，Ｅ）に担
持させおくと、当該植物ｂの栽培に最適な培地環境を与えることができる。
【００４１】
＜第二使用例＞更に図６に例示するとおり水耕栽培において、水培地ｃ中に保
水体Ｃ，Ｅを浮遊混合しておくと、当該保水体Ｃ，Ｅに適宜な成分を担持させて
おくと、当該有効成分をゆっくり溶出させることで、水替え間隔にゆとりを持た
せることができる。
【００４２】
＜第三使用例＞保水体は、ブロック状に形成した場合には、切り花ｂなどの装
飾ベース体として使用することができる。例えば図７に例示するとおり、保水体
（Ａ，Ａ１，Ｄ，Ｄ１，Ｆ）に切り花ｂの根本部分を刺突しておくと、保水体（
Ａ，Ａ１，Ｄ，Ｄ１，Ｆ）に維持されている水分が植物の生育用の水として使用
されるので、仮に鉢ｄの水ｃが枯れても、保水体（Ａ，Ａ１，Ｄ，Ｄ１，Ｆ）の
保水成分で充分に数日間給水を実施することになる。勿論植物有効成分も働くこ
とは当然である。
【００４３】
＜第四使用例＞また図８に例示するとおり、切り花等の室内装飾（フラワーア
レンジメント）として、透明容器体ｄ１と無色透明や着色透明のポリマー培土を
使用した場合に、保水体（Ａ，Ａ１，Ｄ，Ｄ１，Ｆ）を切り花のベース体として
使用し、保水体（Ａ，Ａ１，Ｄ，Ｄ１，Ｆ）の周囲に前記ポリマー培地ａを採用
すれば良い。特に保水体Ｆの周面被膜４１の透水能力によって、ポリマー培土ａ
の影響を受けずに切り花への給水が可能となる。
【００４４】
勿論被膜４０の無い保水体（Ａ、Ａ１，Ｄ，Ｄ１）と、周囲培土に吸水ポリマ
ー培地ａを採用した組み合わせであっても、従前の発泡体（オアシス）のように
担持水分を他の吸水ポリマー培地ａに取り込まれずに、保水体（Ａ、Ａ１，Ｄ，
Ｄ１，Ｆ）内の吸水樹脂３５で植物給水用水分を担持していることができ、植物
を充分長持ちさせることができる。
【００４５】
＜第五使用例＞またシート状の保水体（Ｂ，Ｇ，Ｈ，Ｉ）は、鉢植え栽培にお
ける肥料等の担持体として使用することもできる。例えば図９に示すように、保
水体（Ｂ，Ｇ，Ｈ，Ｉ）に所定の有効成分を含有させ（予めセルロースマトリッ
クスに散在させておいたり、或いは液肥のような液状成分を含浸させておく）、
鉢ｄの底に敷いて、その上に土ｅを充填して、植物ｄの鉢植え栽培を行うと、給
水を忘れたり追肥を行わなくとも植物ｂの育成が可能となる。
【００４６】
特に図１０に例示するように、適宜な積層体とした保水体Ｉ１は、珪酸塩白土
又はシリカ４４が、根腐れ防止として作用するので、鉢植え栽培に最適であり、
また特に不織布４２の下方に固形の粒状肥料４０ａを散布しておくことで、固形
肥料４０ａがゆっくりと溶け出すことで、肥料効果を長持ちさせることができる
。
【００４７】
＜第六使用例＞更に図１１に例示するように、包装用としては、シート状保水
体（Ｂ，Ｇ，Ｈ，Ｉ）が使用できる。特に下面（包装時に外面となる）に非透水
性被膜４１を形成した保水体Ｈは、水分を担持させても水漏れを防ぐことができ
、運搬時に切り花等への給水を実現できるものであり、更に有効成分を担持させ
ることで、植物を長く持たせることも可能である。勿論直接の箱詰めが可能とな
る利点もある。
【００４８】
＜第七使用例＞  図１２に例示するように育苗用としても使用できる。育苗用
として、少なくとも根が成長できるようにしたので、例えば保水体Ｆにおいて、
周面のみを非透水性被膜４１で被覆して、底面に被膜が存在しない構成を採用し
、植物ｂの根の生育に阻害にならないようにしてなる。
【００４９】
特に図１３に例示するように保水体Ｆに代えて、被覆体４１ａと保水体Ａ（Ｄ
，Ａ１，Ｄ１）の組み合わせを採用すると、図１２で示したように、育苗床とし
て使用した後に、被覆体４１ａを外して、そのまま土に植えることができ、保水
体Ａ（Ｄ，Ａ１，Ｄ１）は、自然に土壌に帰ることになる。
【００５０】
次に、本発明の根腐れ防止剤及び根腐れ防止方法に係る実施の形態について説
明する。本発明は、ノニオン樹脂（熱可塑性ノニオン型吸水樹脂）を植物の培地
として使用したときに、根腐れ防止効果を有することを利用したものである。根
腐れ防止剤としてノニオン樹脂を用いた培地に水を加え、植物を植える。これに
より、植物の根腐れを防止することができる。また、土壌栽培の植物を簡単に植
え替えることが可能となる。以下では、ノニオン樹脂を用いた培地について詳細
に説明する。
【００５１】
水耕栽培の植物や、植物の植え替えにおいて、水を腐らせないようにすること
は大切である。また、土壌栽培の植物を水耕栽培の培地に植え替えるためには、
一旦、植物に水耕栽培の根を発根させ、栽培することが必要である。ノニオン樹
脂を用いた培地（以下では適宜、ノニオン樹脂培地と記載する）の場合、土栽培
の植物の根を傷めないように水洗いし、その土壌栽培の植物を植えることにより
、簡単に植え替えが可能となる。
【００５２】
これは、ノニオン樹脂培地では、水の腐敗を防ぐ除菌作用が働き、植物の根か
ら出る樹液等の有機酸を吸着し、除菌することにより、植物の根腐れを防止する
からである。通常、水は２乃至３日で腐敗するため、植物の栽培や切り花での使
用等において、植物を長持ちさせることは特に夏季においては困難であった。ノ
ニオン樹脂培地を用いることにより、水の腐敗を防ぐことができる。
【００５３】
また、ノニオン樹脂は、イオンを含有していないので、プラスイオンのイオン
水を吸着させて使用することにより、植物の成育を促進したり、切り花を長持ち
させたりすることができる。
【００５４】
下記表１は、ミニバラ栽培の培地として、ノニオン樹脂２００ｇに水３００ｇ
を加えたものを用いた場合と、アクリル系樹脂２００ｇに水３００ｇを加えたも
のを用いた場合における、２５日後の水の汚れ度を検査したものである。なお、
それぞれ、イオン交換樹脂を０．６ｇずつ添加している。
【００５５】
【表１】
2005000176.tif 000003
【００５６】
表１に示すように、アクリル系樹脂を用いた培地では、水に含まれる有機物等
の量が２７００ｍｇ／リットルであるのに対して、ノニオン樹脂を用いた培地で
は、２７０ｍｇ／リットルとなっており、ノニオン樹脂を用いた培地での有機物
等の発生量は、アクリル系樹脂を用いた培地での有機物等の発生量の１／１０の
数値を示した。このように、アクリル系樹脂培地では、有機物が増加しており、
イオン交換樹脂の吸着作用があまり働いていないことが分かる。これは、イオン
交換樹脂が微粒子であり、多量に使用しないとその効果が現れないことを示して
いる。
【００５７】
ノニオン樹脂においては、ノニオン樹脂の吸着作用及び除菌作用が働き、プラ
スイオンのイオン交換樹脂が少量でも効果的に働いていることが分かる。従って
、ノニオン樹脂にイオン交換樹脂を混合した培地を使用することにより、アクリ
ル系樹脂培地では吸着作用があまり働かないという問題を解決することができる
。
【００５８】
次に、ノニオン樹脂とアクリル系樹脂の混合使用による根の成育について説明
する。植物の培地において、成育する根を比較してみると、水耕栽培の植物の根
は、常に水分や養分（肥料）がある水の中で成育し、根が容易にこの水分や養分
を吸収できるようになっている。あまり根が伸びないのが特徴である。また、ア
クリル系樹脂培地では、根がアクリル系樹脂を抱きかかえるように包囲し、密着
して水分を吸収しているのが特徴である。
【００５９】
ノニオン樹脂培地においても同様に、根がノニオン樹脂に密着し、水分を吸収
するが、根がノニオン樹脂の中を貫通して成育するのが特徴である。また、土壌
栽培の植物は、鉢の中又は土の中で水分や養分を探し求めなければならず、その
成育は四方八方に広がり、長い根で成育するのが特徴である。
【００６０】
ノニオン樹脂培地においても、茎の下から白い多数の根が真っ直ぐ下方に伸び
、四方八方に広がり、土壌体の根の成育に似ていると言うことができる。これら
は、アクリル系樹脂の根の成育は水耕栽培の場合と同様であり、ノニオン樹脂の
根の成育は土壌栽培の場合と同様であると言うことができる。
【００６１】
アクリル系樹脂とノニオン樹脂とを混合した培地を用いることにより、根の成
育が変化していくことが実験により確認された。図１５は、この実験の結果を表
している。実験結果の詳細については後述する。この実験では、アクリル系樹脂
５０乃至２００ｇと、ノニオン樹脂２０乃至２００ｇをそれぞれ混合割合を変化
させて混合した培地を作成し、この培地の中に土壌栽培の植物を植えた。これに
より、根が一旦、水耕栽培の根に変化する。これは、土壌栽培の根の表皮が腐り
、根の内部の白く細い芯が水耕栽培の根に変化することを表している。
【００６２】
アクリル系樹脂に対してノニオン樹脂を増量することにより、この白く細いシ
ルクの糸のような根が太くなっていく。そして、アクリル系樹脂とノニオン樹脂
の同量の混合により、土壌栽培の根の表皮が腐って変わることなく、太く逞しい
安定した根が成育することが分かった。アクリル系樹脂のみでは土栽培の植物を
植え替えて成長させることは困難であるが、ノニオン樹脂を少量混合することに
より、土栽培の根の先端から腐ったり、また、全体的に表皮が変わったりするが
、日々草が元気に花を咲かせたり、アイビーが長く成長したりする。例えば、ア
クリル系樹脂２００ｇにノニオン樹脂６０ｇを添加した培地では、アイビーの丈
が約１０乃至３０センチメートル（ｃｍ）も成長する。
【００６３】
ノニオン樹脂を根腐れ防止剤として使用した場合、次のような効果がある。第
１の効果は、植物の汚れをとることである（吸着作用）。第２の効果は根が腐ら
ないことである（除菌作用又は抗菌作用）。第３の効果は樹脂が汚れた樹液を吸
着し、植物にきれいな水分養分を与えていることである（濾過作用）。第４の効
果は水を保持することである（保水作用）。第５の効果は、植物を支え固めるこ
とである（凝固作用）。ノニオン樹脂の場合、常に水の中に入れておかないと固
まりやすく、容器の余分な水分を切ることで約３乃至４日で固まる。
【００６４】
根の生育に関しては、アクリル系樹脂では、離水することにより、水耕栽培の
根に変化して生育するが、ノニオン樹脂では、肥料がなくても植え替え栽培が可
能であり、土壌体の根のままで生育するのが特徴である。
【００６５】
また、ノニオン樹脂には凝固作用があるため、植物の育苗床としての使用が可
能である。例えば、直径２０ｃｍ、深さ２２ｃｍの容器にノニオン樹脂の固まり
５００ｇを５個（２．５キログラム（ｋｇ））入れ、イオン水を加えると、３乃
至４ヶ月で固まる。個々のノニオン樹脂が密着して容器の型の形状に固まってい
く。その後、植物を移動しても、倒れることがなく、固定することができる。ま
た、切り花を凝固したノニオン樹脂に刺しても倒れることなく安定する。
【００６６】
次に、ノニオン樹脂が細菌繁殖抑制効果を有することを示す試験について説明
する。図１４は、この試験を行うための試験装置を示す図である。まず、ノニオ
ン樹脂を１．５ｇだけ入れたビーカー、ノニオン樹脂を５ｇだけ入れたビーカー
、ノニオン樹脂を１５ｇだけ入れたビーカー、何も入れないビーカー（ブランク
）を用意する。次に、各ビーカーに残留塩素を除去した水道水３００ミリリット
ルを入れる。次に、各ビーカーに細菌（この場合、大腸菌）を約１０３／ミリリ
ットルだけ加える。
【００６７】
次に、各ビーカーを摂氏２５度に設定した恒温室に入れる。その後、各ビーカ
ーから経時的にサンプリングを行い、細菌数の測定を行う。その結果、表２に示
すような結果が得られた。
【００６８】
【表２】
2005000176.tif 000004
【００６９】
表２に示すように、ノニオン樹脂を１．５ｇだけ入れたものは、実験開始直後
、細菌数が８．３×１０２、３日後には７．３×１０４（全ての細菌数は４．７
×１０５）、５日後には１．５×１０６（全ての細菌数）となっている。また、
ノニオン樹脂を５ｇだけ入れたものは、実験開始直後、細菌数が８．６×１０２
、３日後には１．６×１０４（全ての細菌数は２．７×１０４）、５日後には４
．９×１０５（全ての細菌数）となっている。また、ノニオン樹脂を１５ｇだけ
入れたものは、実験開始直後、細菌数が９．５×１０２、３日後には３．２×１
０３、５日後には１．０×１０３（全ての細菌数）となっている。また、ノニオ
ン樹脂を入れないブランクの場合、実験開始直後、細菌数が８．９×１０２、３
日後には８．４×１０４（全ての細菌数は８．３×１０５）、５日後には１．６
×１０６（全ての細菌数）となっている。この結果から、ノニオン樹脂を用いた
培地には、細菌繁殖抑制効果があるということができる。
【００７０】
次に、イオン交換樹脂の肥料成分とその効果について説明する。栄養剤成分は
、蒸留水１リットルにイオン交換樹脂栄養剤を０．５ｇだけ添加した後、摂氏２
０度に調整し、１週間放置する。その後、水溶液に含まれる全窒素、リン酸、及
びカリウムの濃度を計測した。その結果、全窒素１．６ｍｇ／リットル、リン酸
０．０５ｍｇ／リットル、カリウム１．５ｍｇ／リットルが検出された。
【００７１】
次に、ノニオン樹脂の吸水能について説明する。ノニオン樹脂の純水に対する
吸水能は２０乃至４０倍、生理食塩水に対する吸収能は２０乃至４０倍、人工海
水に対する吸収能は２０乃至３５倍である。
【００７２】
次に、図１５を参照して、ノニオン樹脂を用いた培地に各種植物を植え替えた
場合の各種植物の変化を調べた実験結果について説明する。Ｎｏ．１の培地は、
アクリル系樹脂（肥料含有）５０ｇと、ノニオン樹脂（肥料無し）２００ｇと、
液体肥料を５００倍乃至１０００倍に薄めたものとを混合したものである。Ｎｏ
．２の培地は、アクリル系樹脂（肥料含有）１５０ｇと、ノニオン樹脂（肥料無
し）１５０ｇと、液体肥料を５００倍乃至１０００倍に薄めたものとを混合した
ものである。Ｎｏ．３の培地は、アクリル系樹脂（肥料含有）２００ｇと、ノニ
オン樹脂（肥料無し）１００ｇと、液体肥料を５００倍乃至１０００倍に薄めた
ものとを混合したものである。Ｎｏ．４の培地は、アクリル系樹脂（肥料含有）
２００ｇと、ノニオン樹脂（肥料無し）６０ｇと、液体肥料を５００倍乃至１０
００倍に薄めたものとを混合したものである。Ｎｏ．５の培地は、アクリル系樹
脂（肥料含有）２００ｇと、ノニオン樹脂（肥料無し）２０乃至４０ｇと、液体
肥料を５００倍乃至１０００倍に薄めたものとを混合したものである。Ｎｏ．６
の培地は、アクリル系樹脂（肥料含有）２００ｇからなる。Ｎｏ．７の培地は、
ノニオン樹脂（肥料無し）２００ｇからなる。Ｎｏ．８の培地は、ノニオン樹脂
（肥料無し）２００ｇと、イオン交換樹脂０．１乃至０．５ｇとを混合したもの
である。Ｎｏ．９の培地は、ノニオン樹脂に肥料を含有させたもの２００ｇと、
イオン交換樹脂０．１乃至０．５ｇを混合したものからなる。
【００７３】
Ｎｏ．１乃至Ｎｏ．５はアクリル系樹脂培地にノニオン樹脂を使用した培地で
ある。Ｎｏ．１乃至Ｎｏ．５は、草花、及び観葉植物は植え替えが可能である。
観葉植物はあまり肥料を必要としないが、７乃至１０日までに液体肥料を５００
倍乃至１０００倍に薄めたものや、イオン交換樹脂０．１乃至０．５ｇを添加し
ないと、草花の状態はＡ（良好）からＢ（悪い）に変化する。図中、○印は成育
状態が良好であることを示し、×印は成育状態が悪いことを示している。
【００７４】
Ｎｏ．２においても草花に肥料が不足すると育たない。Ｎｏ．６においては、
約１週間で状態Ａになる。また、アイビー、ポトス、コーヒーに関しては、２週
間乃至１ヶ月で状態Ｃから状態Ｄに変化する。Ｎｏ．６の状態Ｃ，Ｄではほとん
ど成長はしない。Ｎｏ．５においては、根腐れ防止効果により、観葉植物は元気
を取り戻すが、あまり大きな成育はない。約１週間目より根腐れ防止効果が始ま
り、根の成育は止まり、腐り始める。
【００７５】
Ｎｏ．７は、ノニオン樹脂が肥料を含有していなくても植え替えが可能である
ことを示している。また、観葉植物は肥料がなくても成育することを示している
。Ｎｏ．７、Ｎｏ．８、Ｎｏ．９は、土壌栽培の植物はノニオン樹脂培地でも同
じ根で成育されることを示している。Ｎｏ．７は、草花では肥料の濃度が重要で
あり、実験開始後、７乃至１４日までに状態Ａから状態Ｂに変化しないように肥
料を５００乃至１０００倍に薄めたものや、イオン交換樹脂０．１乃至０．５ｇ
を与える必要があることを示している。この実験により、ノニオン樹脂には根腐
れ防止効果があることが分かる。
【００７６】
次に、ノニオン樹脂の根腐れ防止効果を利用した鉢底、及びガーデンマットに
ついて説明する。ノニオン樹脂培地においては、根腐れを防止する効果があり、
肥料がなくても観葉植物の植え替えや成育が可能である。ノニオン樹脂は、イオ
ンを含有していない。この培地において、プラスイオンのイオン交換樹脂はカチ
オンのプラスイオンである主成分、窒素、リン酸、カリウムである。これらを少
量使用することによりイオンの中和作用が起こる。ノニオン樹脂２００乃至３０
０ｇの培地に対して０．１乃至０．２ｇの使用量で、植物の成育を促進させるこ
とが可能である。
【００７７】
ノニオン樹脂とプラスイオンのイオン交換樹脂の組み合わせにより、水耕栽培
の鉢底として、又は土栽培の鉢底におけるガーデンマットとして使用することが
でき、植物の根腐れ防止効果と保水効果、及び肥料としての効果を同時に可能に
する。
【００７８】
鉢内のハイドロコーン又は土の量の２０乃至４０重量パーセントのノニオン樹
脂をガーデンマットとして鉢底に使用することにより、約１ヶ月間、水やりがな
くても植物を成育させることができる。
【００７９】
この場合、ノニオン樹脂にイオン交換樹脂０．１乃至０．２ｇを添加すること
ができる。これにより、約３乃至４日頃から植物の頭頂部の葉が、オイルを塗っ
た様につやつやしてくる。自然に上から下へ全体にこのようにつやつやしてくる
。これは、植物が酸素を放出していることを表している。これは、水耕栽培の葉
の現象である。土壌栽培の植物ではこのようにはならないが、植物自体の花や葉
においても生き生きしている。また、ノニオン樹脂を土壌栽培の鉢底に使用する
場合、植物の根は何の抵抗もなく、その土壌栽培の根で成育するのが特徴である
。
【００８０】
次に、水耕栽培の鉢底にノニオン樹脂を使用する場合について説明する。ハイ
ドロコーンの全体量の２０乃至４０パーセントのノニオン樹脂を鉢底に使用する
と、約１ヶ月間、水やりが不要になる。また、根は２週間で２乃至６ｃｍ伸びる
。また、１ヶ月間で４乃至１０ｃｍ伸びる。例えば、ポリシヤスは１週間で約１
．５ｃｍ伸び、２週間で約３．０ｃｍ伸びる（図１６）。サイデリアーナは１週
間で約１．５ｃｍ伸び、２週間で約２．８乃至３．０ｃｍ伸びる（図１７）。ポ
トスは１週間で約１．５乃至３．０ｃｍ伸び、２週間で約３．０乃至６．０ｃｍ
伸びる（図１８）。
【００８１】
水耕栽培の鉢底にノニオン樹脂を用いることにより、３乃至４日目より、植物
の頭頂部の葉からオイルを塗ったように葉がつやつやしてくる。そして、１週間
ぐらいで、全体につやつやしてくる。この現象は土壌栽培の植物では見られない
ものである。
【００８２】
次に、水耕栽培や土壌栽培の鉢底にノニオン樹脂を使用した場合の効果につい
て説明する。水耕栽培の観葉植物で使用されるハイドロコーンのイオン交換樹脂
の使用量は、２号鉢で２ｇとなっている。これは３ヶ月間有効である。インナー
ポットが入る２号鉢の鉢底に２ｇのイオン水と深さ約１ｃｍの水を入れて使用す
る。観葉植物ではハイドロコーンの培地の鉢底にノニオン樹脂を使用し、約０．
１ｇのイオン交換樹脂を使用することにより、約３ヶ月間有効保持することがで
きる。
【００８３】
ノニオン樹脂を水耕栽培の鉢底や土栽培の鉢底に使用することにより、水やり
が不要となり、植物が痛まず、小売店等においてはコストを削減することができ
る。また、小売店においても、これらのノニオン樹脂を植物の寄せ植えに使用す
ることができる。また、生産メーカは、水耕栽培や土栽培の培地の下に、ガーデ
ンマットとして肥料を含有するノニオン樹脂を２０乃至４０パーセント加えるこ
とにより、１乃至２ヶ月間、保水効果を持続させることができる。
【００８４】
土壌栽培の鉢底にノニオン樹脂を使用する場合、ノニオン樹脂に液体肥料を吸
着させるか、イオン交換樹脂をノニオン樹脂に少量のせて使用する。土壌栽培で
生育した植物の根は、ノニオン樹脂の培地に何の抵抗もなく適応し、自然に伸び
て生育するのが特徴である。土壌栽培の鉢より植物を取り出して、ノニオン樹脂
培地に植え替えても何の変化もなく生育する。その特徴は土壌体のものとほぼ等
しいと言える。例えば、土壌栽培した植物をノニオン樹脂のガーデンマットを鉢
底に使用した鉢に植え替えると、カランコエの場合、根は約２週間で４乃至５ｃ
ｍ伸びる（図１９）。ゼラニウムの場合、根は約２週間で８乃至１０ｃｍ伸びる
（図２０）。また、セロームの場合、根は約２週間で５乃至１０ｃｍ伸びる（図
２１）。この要因は、ノニオン樹脂が離水しないで植物の汚れや有機酸を吸着、
濾過し、植物にきれいな水分を与え、土壌体と同様の作用をしているからである
。図２０、図２１に示すように、ノニオン樹脂を鉢の底だけでなく、鉢の側面に
も配置し、根を取り囲むようにすることができる。このノニオン樹脂のガーデン
マットは、鉢底に使用する他に、花壇、プランター、屋上ガーデン等にも使用す
ることができる（図２２）。また、ノニオン樹脂の吸着作用等を利用して、汚染
された土壌を改良する土壌改良剤として使用することも可能である（図２３）。
【００８５】
また、ノニオン樹脂による根腐れ防止効果を利用して、あらゆるｐＨのコント
ロールを容易にし、土壌改良剤として用いることにより、植物の育たない培地で
植物の栽培を可能にすることができる。また、最も身近な樹木が地面にどのよう
な生育をし、根から水分を吸収するのか、地下茎を見ることができる。また、鉢
底使用の他に、プランター、花壇、畑、その他の培地において、ノニオン樹脂を
土壌改良剤や活性剤として使用することができる。
【００８６】
次に、ノニオン樹脂を用いた培地におけるイオン交換樹脂の使用効果について
説明する。イオン交換樹脂をノニオン樹脂培地に使用することにより、プラスイ
オンの中和作用が起こる。例えば、ノニオン樹脂２００乃至３００ｇに対して、
イオン交換樹脂０．１乃至０．２ｇをノニオン樹脂の上にふりかけ、使用する。
【００８７】
このように、イオン交換樹脂を少量だけノニオン樹脂と使用することにより、
植物の成育発育促進効果が得られる。ノニオン樹脂にイオン交換樹脂を混合した
ものを、鉢底やガーデン底、或いは土壌改良剤として使用することにより、保水
作用、除菌作用、吸着作用等による根腐れ防止効果が生まれ、管理に要する手間
を軽減することができる。
【００８８】
また、ノニオン樹脂にイオン水（蒸留水）を吸着させることにより、植物の栽
培や、キクやバラ、榊等の切り花での使用を可能にすることができる。草花の栽
培においては、マリーゴールド、セントポーリア、百日草、ベコニア等の成育に
効果があった。
【００８９】
アクリル系樹脂を用いた培地では、主に水耕栽培された植物の植え替えにおい
ては何の支障もなく可能であったが、土栽培された植物を植え替える場合、水耕
栽培に慣れない根を急にアクリル系樹脂からなる培地に定着させることは困難で
あった。
【００９０】
これまで、ノニオン樹脂培地にもアクリル系樹脂培地の場合と同様、水耕栽培
の支持体と考えられてきた。ノニオン樹脂と、一般に市販されているアクリル系
樹脂の混合培地では、アクリル系樹脂の離水作用により、植物は水耕栽培の根に
より成育する。一方、ノニオン樹脂とアクリル系樹脂を同量ずつ混合した培地（
混合培地）では、植物は土壌体の根により成育する。
【００９１】
上記混合培地が土壌体の培地と同様の作用をすることが分かった。ノニオン樹
脂の根腐れ防止効果により、水耕栽培された植物と土壌体で栽培された植物の両
方が成育可能な混合培地を作成することができ、容易に土壌体から混合培地への
植え替えが可能となる。
【００９２】
ノニオン樹脂の形状としては、立方体、多面体で一定の形状でないもの、直方
体、球、四面体、多面体、棒状、マカロニのように管状に穴のあいた形状のもの
、帯状の薄板状のものを渦巻き状に巻いたもの（以下、バームクーヘン型と記載
する）、粉末状のもの、対向する２つの面が三角形の五面体等が考えられる。
【００９３】
以下、バームクーヘン型のノニオン樹脂を用いた培地について説明する。従来
、角形（１辺が約１ｃｍ）のノニオン樹脂は、帯状の薄板状のものを製造してか
らそれらを所定の大きさに切断し、重ね合わせることにより製造していた。この
帯状の薄板状のものを渦巻き状に巻いていくことにより、バームクーヘン型のノ
ニオン樹脂を製造することができる。また、着色料を混合することにより、様々
な色のノニオン樹脂を製造することができる。また、様々な色の着色料を混合し
て製造された複数の帯状の薄板状のノニオン樹脂を重ね合わせて渦巻き状に巻く
ことにより、金太郎飴のように、切り口が所定の模様となるようにすることもで
きる。
【００９４】
このバームクーヘン型のノニオン樹脂を、切り口が円形になるように切断する
。そして、切り口が円形のノニオン樹脂を培地として用いる。この培地は、薄板
状のものが渦巻き状に巻かれているので、通気性や水はけに優れ、植え替えも簡
単に行うことができる。皿やガラスの鉢等に入れ、培地として用いることにより
、見栄えを良くすることができる。
【００９５】
次に、ノニオン樹脂を保水剤として用いる場合について説明する。根腐れ防止
剤の実験により、アクリル系樹脂の混合使用や鉢底使用については上述した通り
であるが、水耕栽培のハイドロコーンに植えた植物では、ノニオン樹脂培地に植
えるだけで発根する。ノニオン樹脂の最も適した利用方法は、水耕栽培のハイド
ロコーンの代用として、及び土壌栽培の代用として用いることである。これらは
いずれも室内園芸として用いられる。
【００９６】
地球の温暖化により、屋外のガーデニング、プランター、花壇、屋上ガーデン
、芝生、畑等が重要性を増しているが、それらの保水剤としてノニオン樹脂を用
いることができる。従来のアクリル系樹脂では困難であった。
【００９７】
ノニオン樹脂の使用量であるが、植物の根は直接、ノニオン樹脂から水分を吸
収するが、土壌の１／３乃至１／２の使用量が良い。夏季では十分に水分を吸水
したノニオン樹脂を使用し、梅雨期では、水分を吸水できる余力を持たせ、半分
程度膨潤させたものを用いるのが良い。プランター等では、土の量の１／３乃至
１／２程度のノニオン樹脂を混合して使用する。水やりは月に１，２回程度で良
い。
【００９８】
室内において身体の不自由な人々、お年寄りや子供たちが手軽に植物の栽培を
楽しみ、人とコミュニケーションを持ち、夢と生き甲斐のある生活を送ることが
可能である。また、人々が長年に渡り、作物や植物を栽培し、人工的に土壌体を
作ってきたが、若年層の減少により、人手が不足することが考えられる。これか
ら将来に渡り、この土壌体作りはノニオン樹脂に肥料を含有させて、ノニオン樹
脂のｐＨコントロールにより自動的にアルカリ性培地に変換し、畑、公園、花壇
、また植物の鉢底にガーデンマットとして肥料入りノニオン樹脂を使用すること
により、植物、作物の生産効率を高め、人手を軽減する事が可能である。
【００９９】
従来、植物の栽培において、水や肥料を含み、保水剤として使用される樹脂は
あったが、これらはいずれもアクリル系樹脂であり、保水効果を得ることを目的
としていた。上記実験により、土壌体での植物や作物の栽培においても、水と肥
料が重要であり、水を新鮮に保つことが最も大切である。水、肥料、根腐れ防止
剤は、植物の栽培において重要な三要素とも言える。これらのことから、砂漠で
の植樹、植物や作物の栽培において、ノニオン樹脂はなくてはならないものであ
る。ノニオン樹脂は、保水効果と根腐れ防止効果を兼ね備えた、水耕栽培の培地
と土栽培の培地の両用が可能な人工植物培地ということができる。
【０１００】
次に、ノニオン樹脂の保水剤としての使用方法について説明する。これまで、
室内園芸の植物の培地での使用であったが、近年ブームとなっている屋外・屋上
ガーデンや、花壇、畑、砂漠等の植物培地においては、保水、保持力のあるノニ
オン樹脂を使用することが大切である。従来、土に混ぜた保水剤使用にアクリル
系樹脂が使用されてきた。このアクリル系樹脂は、膨潤倍率は大きいが、離水に
より、短期間で縮小し、また、縮小すると、植物の水分を吸収してしまう欠点を
有する。ノニオン樹脂においても膨潤倍率が２０乃至１００培のものを使用する
ことにより、肥料、保水、根腐れ防止の効果が同時に作用し、また、長期的に安
定した培地とすることが可能となる。
【０１０１】
花壇、畑、屋外・屋上ガーデンや、砂漠等では、自然環境や土壌体や天候等の
条件により異なるが、水を含んだノニオン樹脂１００ｋｇと、水を含んだアクリ
ル系樹脂１００ｋｇを混合使用した場合、アクリル系樹脂が定期的に離水するこ
とにより、離水しないノニオン樹脂がアクリル系樹脂からの水分を吸収するが、
飽和状態となり、離水されても吸収されず、水分が溜まってくる。その結果、地
上部の土が湿り、蒸発する。水が溜まることにより、植物の根は水耕栽培の根に
変わる。これにより、これまで土壌体の根で生育していた植物が過剰水分により
一旦根腐れ状態を起こし、水耕栽培の根に変わってしまう。これらのことから、
水耕栽培の植物には良いが、土壌体の根の生育に適した植物では生育しにくいこ
とが分かる。
【０１０２】
これを防ぐためには、ノニオン樹脂のみを使用して、離水しないで水を蓄えて
おくタンクの作用をし、水分を保持するようにすると良い。地上部を湿らすため
には、アクリル系樹脂を少量使用するのが良いが、アクリル系樹脂は短期間で離
水してしまう。離水してノニオン樹脂の水分を吸収し、また離水する。しかし、
雨がほとんど降らない所では、貯蔵タンクは空になり、アクリル系樹脂の使用は
水分の無駄使いとなる。
【０１０３】
砂漠等の雨の少ない地域では、ノニオン樹脂のみの使用が良い。雨が多い所で
は、ノニオン樹脂もアクリル樹脂も飽和状態となり、ノニオン樹脂の根腐れ防止
効果により、今まで土壌体で生育していた植物の根が水耕栽培の根に変化して生
育を始める。
【０１０４】
アクリル系樹脂は、水が溜まっていても離水するので、さらに水分を溜めてし
まうため、アクリル系樹脂の使用は適さない。ノニオン樹脂の保水性のみでは、
植物が水分を吸収して生育する課程で、根の汚れを取る吸着作用や除菌作用がな
ければ、アクリル系樹脂の水たまりと同じであり、根腐れを起こすことになり、
ノニオン樹脂の除菌や汚れの吸着作用により、保水性が保持されるのである。ノ
ニオン樹脂の５つの作用により、貯蔵タンクとして作用して植物はそこから水分
や養分を吸収し、汚れを排出し、自給自足で生育する。即ち、植物は、汚れた樹
液を排出し、貯蔵タンクから水分や養分を吸収し、自給自足で生育している。
【０１０５】
ノニオン樹脂が大地の役割をしていることから、ノニオン樹脂は水耕栽培と土
壌栽培の両用の植物支持体と言うことができる。このノニオン樹脂には、除菌作
用又は抗菌作用、吸着作用、濾過作用を有している。
【０１０６】
水耕栽培の植物は、さっと根を洗い、簡単にノニオン樹脂培地に植えることが
できる。水耕栽培で生育した植物の根は、樹脂と樹脂の間の余分な水分を吸収し
て生育するが、新たに発根することにより、新しい根で成長していく。これらの
根の生育は、水耕栽培も土壌栽培もこれまでの根と同じ根で水分を吸収するもの
である。最初、ノニオン樹脂培地では、水分を多目にしておくことが重要である
。草花等の根は柔らかな長い根が多いため、最初から樹脂の水分を吸収すること
ができないので、ノニオン樹脂培地の水分を多目にし、樹脂と樹脂の間の余分な
水分を吸収できるようにする。その土壌体の根の先で水分を吸収し、やがて枝分
かれしたような細かな根が発根されていく。水耕栽培の根は水耕栽培で生育した
その根で水分を吸収し、発根が始まると新しい根で成育してゆく。
【０１０７】
水耕栽培の植物をノニオン樹脂培地に植え替えた場合、ノニオン樹脂が離水す
れば、このまま根が生育する（図２４）。又は、沢山の水分があれば、根は変わ
らない。最初から水分を多目にしておくことが重要である。これにより、植物は
溜まっている水を吸収し、水分が沢山あればそのまま水分がなくなると水分を探
さないで新しく発根する。土壌体の植物をノニオン樹脂培地に植え替えた場合も
同様に、そのままの根で水分を探し、吸収する。
【０１０８】
ノニオン樹脂培地に観葉植物や花木等を植え替えた後、葉が枯れてしまうこと
もある。植え替え時に根が切れたり、寒さや培地が変わったことによる負担で枯
れてしまうことがあるが、約２週間乃至１ヶ月、或いは１乃至２ヶ月ぐらいして
、新根や新葉を作る。これは根腐れ防止効果により発根し、発芽し、再生してく
るからである。これらのことは１年草では難しいが、ポトス、デンドロビウム、
ミニバラ、ハイビスカス、サルスベリ、ムスク等では可能である。
【０１０９】
次に、ノニオン樹脂の凝固作用と保水体や保水剤としての使用方法について説
明する。ノニオン樹脂をガーデンマットとして地面の下に使用した場合、凝固作
用は働かないが、地上部又はプランターやガラス容器に入れて使用すると、空気
に触れて気化し、固まる。ノニオン樹脂の形状が角状（直方体や立方体）のもの
は、面と面が大きく、通気性があり、気化しやすいが、形状の異なる多面体や球
状等で細かな粒子状等の重なりにおいては保水性は高く、水持ちが大変良い。
【０１１０】
また、これらの混合培地とすることにより、生育が難しい観葉植物のシダ類、
アジアンタス、草花の細かい柔らかな根が、水分を吸収しやすくなり、生育が可
能となる。角状の大きめのノニオン樹脂を用いた植物培地では、度々水を与える
ことをしなくても栽培が可能となる。
【０１１１】
ノニオン樹脂からなる植物培地では、根がひとりでに水分を吸収するが、切り
花や榊の保水体としてノニオン樹脂を使用した場合、切り花や榊は、ノニオン樹
脂に含まれる水分を吸収するのではなく、溜まり水を吸収する。従って、水を注
ぐか、綿や紙をノニオン樹脂の中に敷くことにより、離水させる。これにより、
切り花や榊は水分を吸収することが可能となる。
【０１１２】
また、バームクーヘン型樹脂に切り花を刺して使用するとき、この樹脂に綿を
巻き付けることにより、離水する保水体として使用することができる。
【０１１３】
アクリル系樹脂の場合、アクリル系樹脂の離水した水をノニオン樹脂が吸収し
てしまう。ノニオン樹脂を月に約２乃至３割程度の離水性を有する保水剤として
使用することにより、この保水剤をアレンジメントで使用する場合、５００ｇの
ノニオン樹脂で１００乃至１５０ｇの離水量とする。
【０１１４】
植物培地においては、月に２乃至３回の水やり（少量）を必要としているが、
水やりが全く不要であると、植物栽培がただのインテリアや観賞用になってしま
う。また、人が栽培に参加しないで手入れをしないことにより、植物栽培への意
欲が失われてしまうことになる。このため、せめて月に２乃至３回の水やりを考
慮したものである。
【０１１５】
この２乃至３回の水やりをしなくても良いようにするために、１回の水やりを
約１割とし、約３回の水やりで約３割としている。また、雨が全く降らない地域
は別として、植物培地では月に約１／３の離水により、地上部が湿り、雨により
吸水される。また、月に１回の水やりでよくなる。
【０１１６】
次に、プランター、鉢、花壇等における保水剤の使用方法について説明する。
アクリル系樹脂等の離水する樹脂を土に混ぜないで底に敷いて使用すると、離水
により水が溜まり、植物が根腐れを起こして枯れる。これは、アクリル系樹脂は
離水により縮小してしまい、水分がなくなると植物の水分を吸収するからである
。また、膨潤倍率が大きく、水分含有量による膨潤倍率の較差が大きく、培地が
安定しないためである。
【０１１７】
アクリル系樹脂を土に混ぜて使用する場合、離水量に応じてアクリル系樹脂の
混合量を減らし、離水により植物が水分を吸収しやすくなるようにすることによ
り、良い生育となる。離水による水分が溜まらない程度にする。アクリル系樹脂
が離水により縮小しても、土がアクリル系樹脂を包んでいるので、植物の水分を
遮断することができ、植物の水分を吸収しにくくする。混合量が少なければ少な
い程、培地には安定感がある。
【０１１８】
離水しないアクリル系樹脂を土の下に敷いた場合、土壌体の植物は生育できず
、水さえあればポトス、アイビー等の水生植物は生育可能となる。この状態は田
んぼでイネが生育する状態と同様である。イネは水生植物であり、十分な雨があ
れば畑（陸稲）でも生育する。従って、アクリル系樹脂は根腐れ防止効果がない
ので、水分はあっても土壌体の植物は根腐れしてしまい、枯れてしまう。
【０１１９】
離水しないアクリル系樹脂を土に混ぜて使用する場合、アクリル系樹脂を土が
包むことにより、植物が水分を吸収し難くなる。植物は根がアクリル系樹脂に密
着し、接触しないと水分を吸収することができない。ゴルフ場等の芝生での使用
において失敗した原因は、アクリル系樹脂を土に混合し、その上に芝生を並べた
からである。この状態では、芝は水分を吸収することができない。この場合、ノ
ニオン樹脂を地上に並べ、そこに芝生を敷く状態にしないと、芝は水分を吸収す
ることができない。これらのことは、アクリル系樹脂とノニオン樹脂の比較にお
いて、ノニオン樹脂を土に混合して使用することは、あまり適さないことを示し
ている。ノニオン樹脂を土に混ぜないで、植物の根の下に敷いて使用することに
より、保水効果が得られる。
【０１２０】
ノニオン樹脂の根腐れ防止効果により、観葉植物の栽培の他、花木、庭木等の
あらゆる植物の栽培が可能となる。観葉植物の中でも、シダ類やアジアンタムの
栽培が、ノニオン樹脂培地で可能となり、草花ではカトレア、デンドロビウム等
のラン科の植物、ラベンダー、ベコニア、ペチュニア、ナデシコ、マリーゴール
ド、セントポリーリア、パンジー、リンドウ等の花木において、さらに、バラ、
ハイビスカス、ムクゲ、ルリヤナギ、サルスベリ、エンジェルイヤリング、アザ
レア、シャクナゲ、アベリア、榊、月桂樹、ヒイラギ、キンモクセイ、ブルーベ
リー等のあらゆる植物の栽培が可能である。
【０１２１】
次に、保水剤を花壇や畑に使用する場合について説明する。雨が降る地域では
、土の中のノニオン樹脂の水の帯として、雨が降る地域では水はけを考慮して配
置する。例えば、土の畦に平行した２本の水の帯となるようにノニオン樹脂を配
置する。或いは、植物を囲むようにドーナツ状にノニオン樹脂を配置する（図２
２）。これにより、雨が降ってもノニオン樹脂が雨を吸収し、ノニオン樹脂の間
を通って雨が土の中に浸透し、水はけの妨げとならないようにすることができる
。
【０１２２】
一方、雨が全く降らない地域では、根を包み込むようにノニオン樹脂を配置す
る（図２３）。これにより、余分な水分が土の中に逃げることを抑制し、少ない
水分をノニオン樹脂が吸収して逃がさないようにすることができる。屋外におい
ては、花壇や丹精込めて作られたガーデニングが、地球温暖化による異常気象に
より、雨が降らないときの水不足を考え、地域的に地下に水を貯蔵しておく対策
をとらなければならない。ノニオン樹脂を用いることにより、水不足にも対応す
ることができる。
【０１２３】
ノニオン樹脂に砂糖水とイオン水を混合したもの、又は、ノニオン樹脂に炭酸
飲料（糖分を含む）、又は炭酸の入っていない清涼飲料水を吸着させたものを培
地として植物を栽培すると、植物が砂糖水を吸収し、気孔から取り入れた空気中
の二酸化炭素と、光のエネルギーとで糖類やでんぷん等の複雑な同化養分を作り
出し、酸素を気孔より送り出す。根から吸収する水でも良いが、ノニオン樹脂に
イオン交換樹脂を少々使用した場合も、このような光合成は行われるが、炭酸飲
料等の甘い水分の中に、コーヒーの木、ポトス、アイビー等を漬けておいた状態
により、葉がべたべたし、糖分が吹き出ているのが分かる。
【０１２４】
最後に、発明者が行った付随的な実験結果を示す。
発酵酒の中に有機酸が含有されており、これを吸着させることで植物の成育を
良くする事がある。切花や植物培地に炭酸飲料に含まれている最も甘い果糖や人
間にとっても大切なぶどう糖が一番良いと考えられ、少量これらを添加し、良い
成育となっている。
【０１２５】
植物を日本酒、ワインの培地に栽培した時、アルコールの浸透圧で植物の水分
を吸収させたり、ノニオン樹脂培地に使用した時、ビールでは２〜３日で葉が枯
れてしまい、アルコールでは難しいことがわかった。
【０１２６】
デンドロビウムを植えて７ヶ月も経過した汚れたノニオン樹脂培地にてワイン
約５０ccを与えた後、枯れると思いこんでいたが、２週間経過後も大変葉の色が
つやつやとして明るい、黄緑色をし、新葉を付けている。
【０１２７】
また、草花、マリーゴールド、日々草、カランコ、ポリシャス、百日草のノニ
オン樹脂培地にそれぞれワイン少量３００ｇに炭酸飲料の約３０cc、イオン水１
５cc与えて栽培した培地に、ワイン２０ccを与えたが、良好である。また、ミニ
バラが伸びて３ヶ月たっている培地約３００ｇにワイン５０cc、ノボタンを植え
た培地１，０００ｇでワイン１００ccを与えた所、翌日１日で新葉や新芽を付け
ている。ノボタンが新芽を沢山つけていた。
【０１２８】
草花や花木では日本酒やビールを与えることで蒸散作用があったが、アルコー
ルにより枯れてしまったが、ワインでは良い成育となっている。当初考えた発酵
酒の中の有機酸が働き汚れたノニオン樹脂を浄化し、活性化していると考えられ
る。また、アルコール臭がなく、培地の汚れた臭いがなくなっていた。
【０１２９】
日本酒、ビール、ワインの発酵酒にはそれぞれ有機酸が含まれているが、特に
ワインに含有量が多く、ぶどう糖が良い効果を上げていると考えられる。
【０１３０】
寄って、ノニオン樹脂にイオン水＋果糖ぶどう糖＋有機酸を添加することで、
より植物培地を活性化することが可能であると言える。
【０１３１】
切花においては水を腐らせないことが大切であり、イオン水の使用が最も良く
、榊では水道水で４〜５日で枯れるが、イオン水を使用することで１０日以上保
持することができる。また、イオン交換樹脂を少量使用することで１００cc〜６
００ccの水のみでさらに２〜３日長く保持することできる。なお、水道水にイオ
ン交換樹脂を使用すると、約１週間の保持である。イオン水にイオン交換樹脂の
使用が最も簡単で安く、切花、榊等を長く保持することができるが、さらに果糖
ぶどう糖や炭酸飲料水を少量また、砂糖等を与えると良い。
【０１３２】
市販の清涼飲料、水分補給飲料、炭酸水にポトスを栽培していた。
炭酸水（砂糖なし）にワイン少量を与えた。
各市販の清涼飲料、水分補給飲料のポトスはぐったり葉が垂れてもう限界であっ
たが、ワインを与えたポトスは生き返っていた。根がしっかりし、葉も生き生き
していた。１枚の葉が腐っていたが、これはワインを与える前の状態であり、ワ
インを与えたことで殺菌作用が働いていることを語っている。ノニオン樹脂が入
っているのかと錯覚をした。
【０１３３】
また、（３）のＡＢの培地、他にも、ワインを与えているのにアルコールの臭いが
なく、また、培地の根腐れの臭いがしない。また、これらの培地で植物を持ち上
げると、根にノニオン樹脂が吸い付いている。今まで甘い砂糖付けの培地におい
ては、植物は樹脂に付かなく、植物だけがするっと離れていた。これは糖分を沢
山与えたことで樹脂の除菌や吸着作用が働かなかったと考えられる。ワインを添
加したことで樹脂が有機酸を吸着し、除菌効果が高められた。
デンドロビウムに５０ｃｃワインを与えたのが良好だったので、さらにワイン５
０〜６０ｃｃ与えた。１日で根が３ｃｍの新根が沢山伸びていた。
【０１３４】
これらのことから、アルコールは１４−１５℃ので、殺菌効果はあるとは考え
られない。ノニオン樹脂培地においてワインを添加することで、活性化が高めら
れ、除菌作用を強めたと考えられる。
【０１３５】
ノニオン樹脂培地では、吸着作用や除菌作用が効果的に働いたと考えられる。
ワインの成分…タンニン、有機酸、アルコール、果糖ぶどう糖
有機酸含有量    …赤ワイン0.4~0.79％
…白ワイン0.35~0.94%
タンニンの除菌作用があるので、ワインの使用が殺菌作用を高めたと言える。
【０１３６】
日本酒…有機酸  少量  糖分  アルコール  水分      
ビール…  〃      〃            〃      〃  乳酸、酢酸、二酸化炭素
日本酒やビールは少量使用することで糖分が蒸散作用を活発にするが殺菌効果
はあまり期待できない。
よってノニオン樹脂にワインを添加することで除菌効果を高めることができた
。
また、ワインを薄めて植物の根に与えることで、殺菌効果と葉や根の蒸散作用
や光合成を活発にすることができる。
【０１３７】
根腐れ防止剤による植物栽培方法
ノニオン樹脂ポリビニルアルコール（みずもち一番（登録商標））は、水道水
を吸着することで離水作用となり、ポリオキシエチレン（商品としてアクアコー
ク（登録商標）がある）との混合使用により、より保水性のある根腐れ防止剤と
なった。
このポリビニルアルコールは、イオン水を吸水すると強い吸着作用となり、除
菌、ろ過、凝固作用を持ち合わせている。
水道水を吸水して離水作用が働いても、その樹脂培地とした植物は根腐れを起
こさず、水耕栽培の根に変換しなかった。その植物も水耕栽培に適した植物では
なく、ごく普通の土壌栽培の草花や観葉植物であり、離水された水が除菌作用に
よることがわかる。
ノニオン樹脂培地は土壌体と同様な植物の生育である。ポリオキシエチレンの
角状は面と面の重なりの間の水分が保たれず通気性が良く、観葉植物のような耐
久性の強い根は、この水分を吸収後、樹脂を貫通し水分を吸収する。しかし、草
花、ミニバラ、シダ類等の根の柔らかな植物は、この樹脂と樹脂の間の水分を吸
収後、樹脂を貫通して水分を吸収できないため、当初１週間〜１０日に１度水分
の与えてやらなければならなかった。
又、ノニオン樹脂（ポリビニルアルコール）は細かな粒状により、粒と粒の間
隔が小さく、保水性に富み、草花等の根の柔らかな植物はこの水分を吸収し、こ
の培地での育成に適していた。
又、膨潤倍率が大きいために保水性が保たれ、イオン水を吸着した培地では、
草花、ミニバラ、シダ類は２００ｇで２週間に１度の水やりとなる。
この２つのノニオン樹脂を混合した培地での植物栽培では、約２週間に１度の
水やりとなり、さらに肥料水を吸着することで月に１度の水やりとなる。
この混合比は、ポリビニルアルコール１に対して、ポリオキシエチレン０．５
〜１となる。ポリオキシエチレン粉末状においても、ほぼ同様である。
【０１３８】
根腐れ防止剤による植物栽培方法
植物栽培において、水耕栽培と土壌栽培の２つに分類されているが、それぞれ
の栽培方法は異なっているが、いずれも光や温度の他、水と肥料の関係であり、
水を腐敗させないで植物を栽培する目的である。
水耕栽培では水やりの手間を短縮するために、植物の鉢底にあらかじめ水をた
めてその水が腐敗しないように水を循環し、水腐れを防止されていた。
土壌体においても、水やりは忙しく頻繁に与えられて、この水やりを怠れば植
物が１週間〜１０日で枯れていた。この水やりをまとめて与えれば、水たまり状
態が根腐れを起こす原因となって枯れたり、生育を悪化させるものである。この
作用を助ける培養土が開発、使用され、はるかに保水性が保たれてきた。
従来の根腐れ防止剤は吸着作用がなく、鉱物系であったり、イオン交換樹脂に
おいても植物のインナーポットの鉢底使用は可能であっても、同時に多量の水分
を吸着したり、樹液等の排出物を多量に吸着することは困難であった。
又、培養土の中には、元肥、有機肥料、もみがら等が使用され、有機肥料の使
用によりこれらの中の微生物が植物の樹液や有機酸を吸着し、水腐れを防いだり
保水や水はけを調整しているものである。
ノニオン樹脂の根腐れ防止剤はこれらの作用、肥料、保水Ｐｈコントロール、
水はけ、根腐れ防止作用を同時に行うものである。
保水性は吸水性樹脂の本体の部分であるが、今まで植物培地で観葉植物の強い
根では土壌体の植物の根を洗って植えるだけで生育し、樹脂と樹脂の間の水分を
吸収し、その後の樹脂を貫通し水分を吸収して、定着するのは容易であった。
草花、シダ類等の根の柔らかな植物を同様な培地に植えると、どうしても約１
週間位で水分がなくなり、元気を失い枯れてしまった。
これを解決するために、粒状の保水性の高いノニオン樹脂（ポリビニルアルコ
ール）を混合することで、水分を２週間も長く保持することができた。又、あら
ゆる草花の水分の悩みを解決することができた。
このポリビニルアルコールは保水性があり、水道水で離水作用となる。ポリオ
キシエチレンの吸着作用により切花をこの培地に挿すアレンジメントは、約１〜
２日しか保持できなかったが、ポリビニルアルコールを使用することで、花によ
っては１週間〜２週間と長く保持することが可能となった。その他、今までどう
しても難しかったワラビ科、プテリス、ファレイ、クレティカ、アジアンタム、
リュウビンタイ、プミラ、タマシダ等、草花ではプリムラ、ハーブ、ミニバラの
他、シンビジューム、カトレア、デンドロビウム等のラン科等、あらゆる植物の
生育を可能とし、解決することができた。
このノニオン樹脂、ポリオキシエチレンは、吸着、除菌、ろ過、凝固作用
の他、浮上作用（水面に浮かぶのではなく、水の底面から表面近くに均一に浮上
するものである）がある。
このポリオキシエチレンの培地に切花を挿し、アレンジメントで使用すると花
がチリチリして枯れたりして難しかった。
ポリオキシエチレンとポリビニルアルコールを混合使用すると、ポリビニルア
ルコールとポリオキシエチレンのろ過作用と中和作用で切花使用が簡単に可能に
なった。
図２５の水質検査結果により、膨潤した（１）ポリオキシエチレン５００ｇ（２）ポリ
ビニルアルコール５００ｇ（３）ポリオキシエチレン２５０ｇとポリビニルアルコー
ル２５０ｇをそれぞれビーカーに入れ水道水（吉田町上水  残留塩素  ５ｍｇ／
ｌ）１．２ｌを加え、１日室温で放置し（４）樹脂の入っていないものをブランクと
して同様に１日間室温で放置したものである。この結果により、ポリオキシエチ
レンがポリビニルアルコールの塩素イオンを吸着し、ポリビニルアルコールがポ
リオキシエチレンの蒸発残留物を吸着し、ろ過している。
注意・・・・この浮上作用は一番大切な切花を花瓶に使用すると、カラーコー
ディネートしたポリオキシエチレンが新しいインテリア性を高めている。
水１に対してポリオキシエチレン０．５使用（０．３では水の半分の位置まで
しか浮かばない）。
この浮上するのはアクリル系樹脂では不可能で底に固まるか、水面に固まる。
【０１３９】
根腐れ防止効果による土壌剤  
保水と水はけの実験により、植物栽培において特に草花栽培では土が重要な要
素を持っている。土は植物の支持体だけでなく、草花が根から吸い上げる水分を
保つために重要であるが、植物に必要な肥料は土中の水に溶けて染み込み、草花
に吸収される。  
このように草花の生育には土と肥料とが大きな役割を果たしている。  
この土にはいろいろな種類があるが、植物栽培に最も適している壌土は、砂と
粘土が半分ずつ混じった畑の土である。  
一年草には砂がいくらか多い砂質壌土又、宿根草（多年草）では粘質壌土が良
いとされている。砂質壌土には水はけがあり、粘質壌土は保水性に富む土である
ことがわかる。  
植物の実験により、ノニオン樹脂の植物栽培は土と水の関係であり、ノニオン
樹脂が土壌体と同様な生育をすることはすでに言っているが、吸着作用が水はけ
作用で離水作用が保水作用であるが、ポリビニルアルコールは吸着作用であるが
草花等の根の柔らかな植物が水分を吸収しやすい状態であり、離水と同様な作用
である。  
ノニオン樹脂ポリオキシエチレンが水はけ、砂土の作用があり、ポリビニルア
ルコール（みずもち）が保水の粘土作用の関係に当たり、この混合比率はポリオ
キシエチレンのアクアコーク砂質壌土１対１、粘質壌土のポリビニールアルコー
ルのみずもちでは１：１で植物栽培に最も適した壌土と同様な作用をする植物培
地であるといえる。  
一年草ではいくらか砂が多い砂質壌土、宿根草（多年草）では粘質壌土が良く
、ポリオキシエチレンとポリビニルアルコールは１：２で水やりが省け、良い生
育となる。  
又、宿根草は地下の部分が冬の間も生存していて、春に芽を出す植物であるが
、ポリオキシエチレンの培地において、イモ科や観葉植物ポトスなどでも同様な
作用をすることが確認されている。冬の水やりをすると寒さで枯れてしまったり
した。この作用は根腐れ防止効果とも思われるが、ポリオキシエチレンに水分を
少し多めに注ぐと粘質壌土になり水分が少ないと砂質壌土になる。  
以上はポリオキシエチレンとポリビニルアルコールに水道水に液肥を吸着した
栽培である。  
又、ポリオキシエチレンは水道水又、降雨を吸水しても変化はないが、ポリビ
ニルアルコールは降雨では塩素が含まれていないため、吸着作用に変化するもの
である。これらの２つを壌土体に使用しても離水作用が働かなく、保水剤の効果
がないことがわかる。これらの使用は水はけはあるが離水がなく、保水剤ではな
く土壌体として使用されるものである。  
樹脂を離水させるには、パルプで包んだ固形肥料を混入させたり、アクリル系
樹脂を混合使用したりすることで離水作用が可能となる。ポリビニルアルコール
は保水性が高いので離水作用は起こさなくても良く、草花、ミニバラ、シダ類等
の植物を植えると、すぐポリビニルアルコールの水分を吸収し生育することが可
能である。  
それに反してポリオキシエチレンのみでは、吸着作用が働くため樹脂と樹脂の
間の水分がなくなると、人手により水やりをするか、パルプに包んだ固形肥料や
殺菌したもみがらなどの使用で離水させることは可能であるが、離水される水は
肥料水であり、保水性を高めることも可能である。  
このようにポリオキシエチレンとポリビニルアルコールの混合使用により、植
物栽培に適した壌土の根腐れ防止剤とすることが可能である。
【０１４０】
水質検査
１  試験目的  
本試験は、水道水にノニオン樹脂（アクアコーク（登録商標）、水もち一
番（登録商標））を加えることにより、水質に変化が生じるか確認することを目
的とした。
２  水質検査
２−１試験方法  
１．固形状のアクアコーク、４０ｇおよび水もち一番１０ｇをビーカーに
いれ、そこに水道水（吉田町上水）２ｌを加え、樹脂を１日間常温で膨潤させる
。  
２．潤した（１）アクアコーク、５００ｇ、（２）水もち一番５００ｇ、（３）アクア
コーク、２５０ｇ＋水もち一番２５０ｇをそれぞれビーカーに入れ、そこに水道
水（吉田上水、残留塩素０．５ｍｇ／ｌ）１．２ｌを加え、１日間常温で放置す
る。樹脂の入っていないものを（４）ブランクとし、同様に１日間放置する。  
３．放置後、（１）〜（３）の水について、Ｎｏ．５Ａのろ紙を用いて、樹脂が入
らないように採水を行う。  
４．（１）〜（４）の水について、水道水法に基づく水質基準に関する省令（平成
４年１２月２１日厚生省令第６９号）に従い、水質検査を行う。
試料溶液
（１）アクアコーク
（２）水もち一番
（３）アクアコーク＋ポリビニルアルコール
（４）ブランク（吉田町上水）
【０１４１】
ポリオキシエチレンとノニオン樹脂のろ過作用を食塩培地とダイオキシン培地
に植物を栽培し実験した。
吸着作用・ろ過作用  実験（１）
ノニオン樹脂に食塩を添加した植物培地のろ過作用。（食塩培地）  
海水の塩分は１００ｃｃの海水で３ｇ（３％）の塩分を含んでいる。
（１）１ｋｇのノニオン樹脂に３０ｇ添加
（２）１ｋｇのノニオン樹脂に６０ｇ添加  
この培地にパキラ・セローム・ベンジャミン・ポトス・アイビーの観葉植物・
ミニバラ・マリーゴールドの草花を植える。  
食塩の成分    炭酸マグネシウム、天日塩（海水）、塩  
実験期間      １ヶ月半経過
【０１４２】
パキラは３〜４日頃より葉がつやつやし、蒸散作用が活発となっていると見ら
れる。ミニバラ・マリーゴールドは３〜４日頃からしおれる。ポトス・アイビー
、ベンジャミン・セロームはあまり変化がなく、生育が可能と見られる。  
（１）食塩３０ｇは海水と同じ濃度である。（２）６０ｇ培地でも約１ヶ月ぐらいは変
化はなく、ノニオン樹脂の吸着・ろ過作用により塩分が吸着され、植物がその塩
分の水分を吸収している。  
約１ヶ月はパキラ、セロームの生育は良かった。樹脂が縮小したため水分の吸
収ができなくなったためと考えられる。耐久性のある観葉植物の栽培が可能であ
るが、ノニオン樹脂のポリビニールアルコールでは約１０ｇ（１％弱）の食塩を
添加すると５〜２０分で水に分解してしまう。
この実験において砂漠地帯の植樹において、ナトリウムイオンを含有するアク
リル系樹脂の植物栽培において、離水によりナトリウムイオンが流出し、水分の
蒸発により地表にナトリウムイオンが溶け出し、これを防ぐために地面に水をか
け、ナトリウムイオンを地下に流し込む作用をしていると聞いた。砂漠地帯での
川の水も海水と同様であり、塩分を含有し、植物栽培が難しいとされたが、ノニ
オン樹脂では海水でも植物栽培が可能であった。  
又、この吸着、ろ過作用は浄化槽に使用することで大腸菌の流出を防ぐことも
可能である。  
【０１４３】
吸着・ろ過作用実験（２）
塩化ビニールの燃えがら（ダイオキシン）を植物培地での吸着・ろ過作用によ
る根腐れ防止剤  （ダイオキシン培地）  
実験  ノニオン樹脂１ｋｇに塩ビの灰５ｇ  
植物  パキラ、ガジュマル、ミニバラ、コスモス、ポトス、アイビー  
期間  １ヵ月半
ノニオン樹脂にダイオキシン成分、塩化ビニールを燃やした灰を樹脂１ｋｇに
５ｇを添加し、上記の植物を１ヶ月半栽培した。  
水分をたくさん必要とするアイビー、ポトスの生育が悪かったが、寒さに弱い
植物であり又、水分を補給していないことによる。しかし、パキラ、ガジュマル
、ミニバラ、コスモスは何の異常もなく生育し、ビニールを巻いて屋外に配置し
たにもかかわらず元気である。灰による保温効果が考えられ、水分の補充もしな
いにもかかわらず、鋭敏なミニバラ、コスモスが生育しているのに驚いた。
これらは実験用で、少量の灰を使用しているが、ダイオキシンに汚染された培
地においても植物栽培は可能であり、ノニオン樹脂の吸着・ろ過作用によるもの
である。多量の灰をノニオン樹脂培地に使用し、灰の中のダイオキシン等の有害
物質を吸着・除去し、最小限度にすることができる。
【０１４４】
ノニオン樹脂の吸着・ろ過作用による根腐れ防止剤  
吸着・ろ過作用は前記炭水飲料やビールをポリオキシエチレンに吸着させた実
験により植物栽培にはビールのアルコール分は良い結果はないが、ノニオン樹脂
の吸着作用により二酸化炭素を吸着し、ろ過することがわかる。  
別紙の図２６から２０℃では0.1688g/100g（=0.878ml/ml）、水１００ｇに０
．１６８８ｇ溶けることが可能である。  
ビールにおける炭酸ガス濃度（１．５〜２気圧）、キリンビールは０．５％程
度炭酸ガスが溶けている。  
炭酸飲料における炭酸ガス濃度（１．２〜３．５気圧）、ほぼビールに近い数
値である。  
降雨の際の二酸化炭素の数値をはるかに吸着しているのであり、地表や屋上緑
化のノニオン樹脂の使用により、吸着されるものである。
【０１４５】
中和、ろ過剤によるノニオン樹脂の根腐れ防止剤  
実験（１）  図２９により  
土壌の間に根腐れ防止剤を使用する土壌栽培での植物培地は、水はけのポリオ
キシエチレンと保水によるポリビニルアルコールによる吸着、除菌、ろ過作用か
らなる植物栽培である。ポリオキシエチレンにイオン水を吸水させ、ポリビニル
アルコールに水道水のみを吸水させ１つの容器に使用すると、ろ過作用によりポ
リオキシエチレンがポリビニルアルコールの水道水の塩素を吸着し、ポリビニル
アルコールがポリオキシエチレンのイオン水を吸収していることがわかる。  
それはポリビニルアルコールに水道水のみを吸水させると、離水作用により水
分が増してくることでわかる。  
又、この２つのノニオン樹脂を水道水の中に入れ、切花を使用すると、ポリオ
キシエチレンのみでは切花が難しく、約１〜２日しか保持することができない。
しかし、ポリビニルアルコールを混合使用することで、ポリオキシエチレンの残
留物の数値が変化し中和されていることからわかる。又、塩素イオンも中和され
ている。  
これらのろ過作用により、ガーデンマットとして土壌中に使用された時、同様
な結果が考えられる。  
この２つのノニオン樹脂に抗菌剤を吸着させ使用しても実験２のポリビニルア
ルコールとアクリル系樹脂（WaterLock）の実験と同様なことが考えられる。土
中において、降雨は殺菌された水ではなく、ごみやほこりが混入されているため
、図３０の抗菌剤を含んだポリビニルアルコールがこの降雨を吸収することで、
腐敗することが考えられる。  
これにより土壌にガーデンマットとして使用するには、肥料が大きな決め手と
なる。  
ノニオン樹脂は土と混合使用（混ぜて使用する）では離水せず、保水作用が働
かず特にポリオキシエチレンの吸着作用のみでは室内園芸の樹脂培地と同様、保
水性が不足し、１週間に１度の水やりと同様、保水性の効果は期待できない。  
よってポリオキシエチレンとポリビニルアルコールの混合使用はお互いの欠点
や不要物を中和し、ろ過することでより良い壌土になる根腐れ防止効果となる。
【０１４６】
土壌体の根腐れ防止剤による植物栽培方法  
人工培地で実用新案出願後、保水剤使用を取扱説明書に記載し販売したが、こ
のポリオキシエチレンでの土壌との混合使用は保水効果が薄かった。
実験１−Ａ〜Ｄの実験培地に植物  バラ、雪つばき、ブルーポイント、ゴール
ドクレスト、サザンカ、パンジーのインナーポケットをはずし、植えた。実験期
間は約３週間である。ＡとＣのポリビニルアルコール（肥料吸着１ｋｇ、ＨＢ−
１０１吸着５００ｇ）を使用した。  
このＡとＣ肥料を吸着させた培地では、サザンカのつぼみがすぐ咲き、バラの
開花も非常に早かった。しかし肥料を含んでいない培地では、あまり生育の変化
が見られない。  
ポリオキシエチレンはアクリル系樹脂と違って離水作用がなく、土壌と混合す
ると図２９−Ｂと同様な状態で土が湿らず、植物の根が土で隔離された樹脂の水
分を吸収することは難しく、保水効果を発揮することができなかった。  
このポリオキシエチレンと土壌との混合使用では土壌の約半分を使用しても、
夏期においては１週間に２〜３回の水やりは必要となる。
【０１４７】
図２７の実験１の土壌体の植物培地の実験において
実験１−（１）では（２）（３）と比較してポリオキシエチレンの吸水量が一番大きく、ま
た排水量も一番少なかった。
ポリオキシエチレンは膨潤倍率が一番小さく、１００％吸水しているにもかかわ
らず（１）では多量の吸水をし、少しの排水量であり、保水作用を保っている。これ
は樹脂と樹脂の重なりにより、樹脂が水分を抱きかかえ保っていることがわかる
。離水しない分の水分を抱きかかえる保水作用があるが徐々に吸収してしまうの
である。この状態は粉末のポリオキシエチレンでは難しい作用である。
（１）ポリオキシエチレンを土壌の中にガーデンマットとして敷いた使い方であり
、肥料を吸着しているが、植物の根は樹脂の表面の水分がなくなると約１〜２週
間で庭木や樹木の強い根は樹脂を貫通して水分を吸水する事ができる。（１）の培地
では、バラ、サザンカはすぐ開花せず、ゆっくりつぼみを膨らます生育である。
ポリオキシエチレンの土壌培地では草花や花木では樹脂より水分を吸収するこ
とは難しいのでポリビニルアルコールの混合使用すると良い。粉末状のポリオキ
シエチレンで保水作用を促すか、パルプに顆粒肥料を包み、人工的に手を加えな
ければならない保水方法である。
（１）は土壌の表面が一番乾いているので、パンジーにつぼみが付き生育が良いの
は吸着作用や水はけ作用の効果である。一年草、庭木、樹木の栽培に適している
土壌培地である。
【０１４８】
根腐れ防止剤による植物栽培方法
実験１−（２）  ポリビニルアルコール（みずもち）の培地
図２７を参照すると、（２）ポリビニルアルコールは水道水では離水作用になるが
、肥料を吸着させることで吸着作用となり土の中では根腐れをしない吸着作用と
なる。
実験１−（２）ではポリビニルアルコールのみの植物栽培は保水性に富み、土壌体
内では気化せず、長期的な使用が可能であるが、図２８の実験２のミニバラ培地
でポリビニルアルコールとデンプンアクリロアミド培地ではどちらもイオン水入
ＨＢ−１０１を吸着していたが少量の使用であり、約１週間から１０日でWaterL
ockの離水により根腐れを起こしていた。水はけの悪い状態であったが、これは
ポリビニルアルコールとWaterLockの同様な膨潤倍率であり、ポリビニルアルコ
ールが過剰な吸水ができなくなったことによるもので、このように（１）（２）のポリオ
キシエチレンやポリビニルアルコールとアクリル系樹脂の混合比率は１：１より
１：０．５〜０．８としなければならない。  
又、１：１の時はイオン交換樹脂を使用すると良い。ポリオキシエチレンをポ
リビニルアルコールの調整剤として使用することで、根腐れ防止を強化できる。
保水性を好むサザンカの生育が良かった。
【０１４９】
実験１−（３）  
実験１−（３）WaterLockは離水する保水作用があり、保水性はあるが図２９のＣ
−Ａにより、根腐れするのでポリオキシエチレンとの混合使用が適している。  
ポリオキシエチレン：WaterLock（アクリル系樹脂デンプンアクリルアミド）
は１：１の混合使用で植物が土壌内の根で良好な生育となるが、WaterLockがポ
リオキシエチレンより多い培地は水耕栽培の根の生育になり、図１５により根腐
れをしやすいので注意が必要である。  
ポリオキシエチレンより少なく１：０．８位とする。  
（３）の実験は砂漠の植樹の場合と同様なパターンということができる。アクリル
系樹脂の離水により、ナトリウムイオンが地上に気化し、地下に水をかけて地面
にナトリウムイオンの水分を沈めているようなことになる。又、離水により水た
まりができたり樹脂が縮小して植物の水分を取ることなども考えられる。  
実験１−（３）アクリル系樹脂のWaterLockの培地では、サザンカのつぼみの開花
が早かった。これらはＨＢ−１０ｌを吸収し、水を注いだことで開花したもので
あるが、水を注ぐことで植物の根の水分吸収を活発にしたものである。しかしバ
ラの色つやが悪く、生育の変化がない。縮小すると植物の水分を吸収してしまい
植物が枯れてしまう心配がある。
【０１５０】
根腐れ防止剤による植物栽培方法  
実験１−Ａ  ポリビニルアルコールとWaterLockの培地  
図２９によりアクリル系樹脂の離水作用により、土壌が水分を保ち、水やりを
せずとも植物栽培が可能となる。  
実験１−Ａは実験２のミニバラ培地と同様な作用となり、WaterLockの離水作
用と、ポリビニルアルコールの保水性により非常にスピードのある生育になるが
、水やりや降雨により根腐れを起こすことが考えられる。この培地ではミニバラ
を約２０本植える。ポリビニルアルコールとWaterLockを同量にイオン水とＨＢ
−１０１を吸着させた培地である。ミニバラ２０本に対して抗菌剤の使用量が少
な過ぎた。約１週間は非常によい生育であったが、１０日よりWaterLockの離水
により、水分が過剰になり少し根腐れ状態を起こしている。  
このようにポリビニルアルコールが吸着作用であっても、アクリル系樹脂の離
水により水はけが悪い状態になり、ポリビニルアルコールの吸着作用が伴わなく
なる。  
この実験は土の中の使用でも水たまり状態になり根腐れを起こすことが考えられ
るので肥料濃度を高め、アクリル系樹脂の使用量を少なくすることで、根腐れを
防ぎ又、使用量はポリビニルアルコールとWaterLock１：０．８とする。  
又、イオン交換樹脂は降雨の少ないときの離水作用を吸着作用に変換してしま
うので、注意が必要である。  
実験１−ＡとＣのポリビニルアルコールに液体肥料を吸着させて使用した培地
でのバラ、サザンカのつぼみが水を与えたことで保水効果が発揮され、非常に早
く開花し又、良い生育となった。  
室内用培地では約３００〜５００ｇの培地ではポリビニルアルコールとWaterL
ockの混合使用が適しており、１：０．８位の使用量が良い。培地でシダ、ミニ
バラ、プリムラの生育が良い又イオン水に抗菌剤ＨＢ−１０１の使用であるが、
殺菌効果は肥料を使用することでよい組み合わせである。
【０１５１】
実験１−Ｅ  ポリオキシエチレン（アクアコーク）とアクリル系樹脂WaterLoc
kの混合培地  
Ｅはアクリル系樹脂の混合使用による離水する培地、水耕栽培に適している培
地である。  
このWaterLockやアクリル系樹脂の混合使用では、ポリオキシエチレンの除菌
作用やろ過作用により、離水による水腐れを防ぐことができる。混合比率は室内
用培地では１：１，地下では１：０．８〜０．５位とし、ポリオキシエチレンの
使用量より２割程度の少ない量とすると、降雨による根腐れを防止する。ポリオ
キシエチレン約１５０〜２００ｇイオン交換樹脂の約０．５ｇと同様な水はけ作
用をすることにより使用する方法である。  
又、地下において降雨のたまり水を知ることができないので、イオン交換樹脂
の使用量は少量の使用とし、離水作用を妨げない様にする。  
又、水やりを省くために植物が耐久性のある植物であれば、多量の給水でも良
い培地である。
【０１５２】
根腐れ防止剤の植物培地の実験  
図２７，２８の実験１のＥの結果は、（１）と（３）の吸水量、排水量の平均値による
と  
（１）  ポリオキシエチレン（アクアコーク）１．５ｋｇ                  
（３）  WaterLock  １．５ｋｇ
の混合とすると、吸水量５．８５、排水量４．１５
又、（２）  ポリビニルアルコール（水もち）１．５ｋｇ                      
（３）  WaterLock   １．５ｋｇ      
の混合とすると、吸水量５．７、排水量４．３  
上記は実験の平均値によるものであるが、Ｅとほぼ近い数値である。  
Ａのポリビニルアルコール（水もち）とWarterLockの吸水量５．８  排水量４
．２とＥのポリオキシエチレン（アクアコーク）とWaterLockの吸水量５．８  
排水量４．２と同様な数値により、（２）（３）の平均値と吸水量５．７、排水量４．３
とほぼ同様な吸水、排水量を示していることが言える。  
２種類の混合使用は最多量の水分を吸収し、最小の排水量とすることが可能で
ある。  
アクリル系樹脂はナトリウムイオンを含有し、膨潤時間や膨潤量は大きいが、
縮小したときの格差が大きく又、縮小すると植物の水分を吸収してしまう欠点を
持っている。又、高温により溶けてしまうため常温の使用である。  
植物栽培用土として使用しにくいところを持ち合わせている。ノニオン樹脂の
離水するこれらの膨潤時間を有する樹脂があれば一番良好な組み合わせであり、
より良い栽培が可能となる。しかし、離水作用は吸着作用が伴わなければアクリ
ル系樹脂による水耕栽培の生育となり、根腐れを起こすので注意が必要である。
Ｅ（１）と（２）の平均値による吸水量５．８５、排水量４．１５単品の吸水量、排水
量がＣより大きいことがわかる。３種類の混合使用の排水量は大きい。  
降雨の少ない地域では、ノニオン樹脂を使用して海水を生活用水としたり又、
屋上での降雨をろ過し、生活用水に使用することも可能である。（ろ紙に包むこ
とで水分を排出させられる）
【０１５３】
根腐れ防止剤による植物栽培方法  
実験１−Ｂ、Ｄ  ポリオキシエチレンとポリビニルアルコールとＷａｔｅｒＬ
ｏｃｋの混合培地  
図２７〜図２９を参照すると、実験１−Ｂにおいても同様にポリビニルアルコ
ールに抗菌剤ＨＢ−１０１を使用しているが、液体肥料を吸着していないために
植物の開花が遅れていることと、保水性が不足していることが言える。ＢとＤで
はよく似た水はけの生育である。  
図２９のＤではノニオン樹脂とアクリル系樹脂の混合培地の実験であるが、両
方の吸着、離水作用を取り入れ保水、水はけを考慮した培地であり、実験１−Ｂ
とＤに該当する。３種類の機能性を生かした時、大きな効果をもたらすと思われ
るが、吸水量、排水量が一番低く、保水量も離水によるものと保水によるもので
大きいが、水はけ作用があり、草花の生育がゆっくりであるが、確実な生育とな
る。バラ、パンジーに適している。  
寒冷地での地下の水はけを良くしないと、寒さで水が凍ってしまうので、水は
けを大切にした栽培方法である。  
この実験により、２種類の混合により３種類の混合が水はけを良くしているこ
と
がわかる。  
又、ポリオキシエチレン、ポリビニルアルコール、WaterLock（米国製）の混
合
比は１：１：１の同量としている。吸水量は少ないが、一番安全で確実である。
以上のことから、保水と水はけ、根腐れ防止と考えると降雨の多い地域での植
物栽培は排出量の多いＤが良い。ノニオン樹脂の除菌効果は、アクリル系樹脂の
離水量に対して、ノニオン樹脂の吸水量が上回らなければ効果が上がらないので
、ＤもしくはＢとなる。一番安全な培地である。
【０１５４】
根腐れ防止剤による植物栽培方法
実験１−Ｃ  
ポリオキシエチレンとポリビニルアルコールの混合使用による栽培方法である
。  
図２７を参照すると、ポリオキシエチレンとポリビニルアルコールの混合使用
で、保水と水はけがうまく使用される組み合わせである。混合比率は１：１。栽
培される植物は草花等に適している壌土の培地である。  
Ｃの培地でバラ、サザンカ、ブルーポイント、パンジーを植えた栽培では、ブ
ルーポイント、バラはポリオキシエチレン培地が適していて、サザンカの花木は
保水性が必要で、土壌の中での使用においても保水性を高め、ポリオキシエチレ
ンとポリビニルアルコールの混合比を１：１〜１：５使用量とすることで、水や
りを短縮することが可能となる。この両方の吸着作用ではあるが、ポリオキシエ
チレンが吸着作用であり、ポリビニルアルコールは離水しない保水作用である。
又、この水やりの回数は肥料濃度の関係であり、ポリオキシエチレン４〜６ヶ
月で約２〜１０倍の濃度でイオン交換樹脂の併用で水やりや降雨によりコントロ
ールをされる。草花、花木の栽培にも適している。  
Ｃではポリビニルアルコールに肥料を１．５ｋｇ中１ｋｇの肥料と５００ｇの
ＨＢ−１０１が混入されており、植物に水を与えたものであるが、サザンカ、バ
ラ、ブルーポイントの生育が良いことを表す。また、この培地は空気に触れなけ
れば、気化しない特徴がある。  
又、植物を植え替えた後、１ヶ月くらいは水道水の水やりを１〜２回すること
で根が定着し、ひとりでに樹脂を貫通し水分の吸水が可能である。  
Ａ、Ｃはどちらも土壌体の植物と同様な生育となるが、肥料を使用することで
長期的な根腐れ防止剤とすることが可能である。  
これらの実験によりＣの植物栽培において、屋上ガーデン、花壇、プランター
、砂漠等での使用は水やりや降雨の少ない土壌培地での植物栽培に適している土
壌に値する根腐れ防止剤からなる土壌剤による植物栽培であるということができ
る。
【０１５５】
根腐れ防止剤による植物栽培方法
これらを解決するにはポリオキシエチレンとポリビニルアルコールの水はけ、
保水、根腐れ防止効果による高い肥料濃度で水やりを短縮する樹脂の特徴を生か
した植物栽培方法である。
ポリオキシエチレンとポリビニルアルコールを１：１を１：４〜１：５の分量
とする培地に代え、液肥の濃度を高め、水やりの回数を減らし月１回とする方法
の栽培である。又、ポリオキシエチレンを少し増加することで、水分をたくさん
与え、月１回の水やりとする方法がある。  
又、膨潤し配合された培地１：２〜１：５の培地は多湿培地には一年草のパン
ジー、ノースピースを栽培するには適当ではないので、この時イオン交換樹脂を
添加することで水はけの良い培地とすることが可能である。つまり、ひとつの培
地で多様な培地を可能にする栽培方法である。これらは室内用はほぼ気化し、乾
燥が早いが、地下は気化せず長く使用が可能である。肥料と水やりの同一作用で
あり、根腐れ防止効果とろ過作用によるものである。  
室内培土では１週間に１回の水やりを月１回の水やりをするには植物に合った
肥料濃度を表示の約２倍〜約１０倍にし、イオン交換樹脂の併用することで可能
とすることができる。      
【０１５６】
根腐れ防止剤を使った植物栽培方法。    
植物栽培の水と肥料の関係は培地と肥料の関係でもある。  
ノニオン樹脂の混合培地とその配合例により、植物に合った培地を作ることで
水はけや保水のコントロールをすることが可能となる。  
ポリオキシエチレンとポリビニルアルコールの配合例  
１：１  約１週間で水切れとなる（６日〜７日）  
１：２  約２週間で水切れとなる  
１：３  約３週間で水切れとなる  
１：４  約４週間で水切れとなる  
１：５  約５週間で水切れとなる（３０日）  
ポリビニルアルコールでは２００ｇ培地で約２週間で縮小するので４００ｇで
約１ヶ月の保持となる。６００ｇ培地で１ヶ月後２００ｇになる。ポリオキシエ
チレンでは２００ｇ培地で約１〜２ヶ月の保持であり、４００ｇでは２〜４ヶ月
の保持となる。６００ｇでは４〜６ヶ月である。この２つの混合培地で保水性を
保つことができる。  
液体肥料を使用した植物培地においても、周期的に１〜２週間で水切れになり
、水切れをした植物に水分をたくさん与えても肥料が残っていれば生育するが、
肥料分が切れると元気は出ない。液体肥料は速効性はあっても長期的には植物を
維持することは難しく、栄養切れが起きてくる。  
ＨＢ−１０１を吸着した植物は、肥料ではなく抗菌剤を含んだ栄養剤であるた
め、これのみでは１週間ごとに活力剤を与えなければならない。  
チッソ、リン、カリからなる液体肥料の肥料表示による肥料濃度では、土壌体と
ノニオン樹脂培地の水切れと同様な周期となっている。  
不思議と草花（プリムラ、スノーポール、パンジー、シクラメン）観葉植物な
どポリオキシエチレンとポリビニルアルコール１：１の培地では約一週間での水
切れとなる。又、シダ類、バラ、洋ランはポリオキシエチレンとポリビニルアル
コール１：２の培地２週間での水切れとなる。  
これはポリオキシエチレンやポリビニルアルコールの配合が、植物栽培に適す
る壌土と同様な作用であり、この液体肥料の水やりと合致することを示している
。
【０１５７】
稲作栽培の方法  
稲の栽培は主に水耕栽培であるが、十分な水があれば畑にも作ることができる
。  
稲の栽培は前年中に田を耕し、水を引いて稲代に３〜５月籾まきをする。３０
〜５０日後に田植えをし、除草、中耕、農薬散布、灌漑等の管理を経て、穂が出
て４０〜５０日に刈り取りを行う（８〜１１月）。稲の発芽の最適温度は３０〜
３４℃である。生長に日照の他、水と肥料が必要である。又、穂がついたまま発
芽する。稲は水中でも発芽するが、水が多すぎると酸素不足になり、根が伸びな
い。湿った所では酸素が十分あれば発根し、地上部も生育する。田の水を落とす
のはこの理由である。  
植物の生長には適当な温度があり、稲の場合も生育する環境の温度と、特に水
温が生育に大きな影響を与える。  
田の水の取り入れ口から水温の低い灌漑水が入ってくるため、その付近の稲の
生育は遅れている。この場合、肥料分が薄められて１反の田の約３分の１〜４分
の１の収穫が少ない。  
このように稲の栽培には時間と手間をかけた管理がなされ、多大な労力をかけ
営まれてきた。近年機械化の発達で変化はあるが、稲作栽培は重労働である。こ
れらの労力の軽減は、これからの農業を変換しなくては後継者や労働力を失うも
とである。  
まず田を耕しておく。ノニオン樹脂に肥料を吸着膨潤させ、田んぼ以外の所で
の発芽をさせて苗になってから機械で植えるか、直に機械で樹脂を敷きながら種
をまいていく等方法は色々ある。  
種も簡単に発芽し、水温の管理も簡単である。室内であれば、３〜４日で発芽
し発根が可能である。  
春の冷たい田んぼの水の中にまくより、樹脂培地は保温される。又、ノニオン
樹脂は凝固作用もあり稲作には最適である。観葉植物と同様に水さえあれば生育
が可能な植物であり、観葉植物より簡単に生育が可能である。  
特にノニオン樹脂にイオン交換樹脂を使用することで水腐れを防ぎ、イオン交
換により少量の肥料で最大の効果を上げることが可能である。又土壌に混入して
も良い。
【０１５８】
根腐れ防止剤による肥料・土壌剤  
ノニオン樹脂とアクリル系樹脂の実験により、ポリオキシエチレンでは１週間
から２週間位で肥料を使用しないと植物の生育が難しくなることを言った。  
ポリビニルアルコールでの実験では肥料を全く使用せず、水道水で膨らました
ところ、離水により約２週間位で肥料を使用しないと生育が難しくなったが、イ
オン水を吸着することで除菌効果がさらに働き、２週間から３週間でも生育効果
が上がることになった。  
又、実験１−Ａ、Ｃでポリビニルアルコールに肥料を吸着させているが、他の
（１）〜（３）、Ｂ、Ｄ、Ｅでは抗菌剤ＨＢ−１０１の使用であり、チッソ、リン、カリ
からなる肥料ではない。  
又、ポリオキシエチレンとポリビニルアルコールの混合培地では、月に１〜２
回の水やりとなり一番良好な生育となる。室内培地では非常な良い生育であり、
水道水に液肥の使用が良い。このように樹脂の混合による組み合わせにより、肥
料を吸着させることでさらに保水性を加えたり、水はけを良くしたりすることか
ら肥料の使用が効果的であり重要である。  
又、１ヶ月後では樹脂が縮小、あらかじめ水分をたくさん与えることができる
が、これらの方法は水耕栽培の方法とも言えるが、水分を多量に与えても植物の
樹液等の汚れを除菌、ろ過作用によるものである。又、水耕栽培の根に変換しな
いものである。宿根草の草花、観葉植物、花木、庭木、シダ類、ラン等は可能で
ある。一年草などの草花でも水分を多く含んだ培地でも、ポリオキシエチレンを
増やしたりイオン交換樹脂を合わせ使用したりすることで水はけを良くし、調節
することが可能となる。  
これまでにもイオン交換樹脂を使用することで、水の浄化作用を促し、肥料濃
度を一定にし栽培したものである。  
このイオン交換樹脂の作用をノニオン樹脂が兼ねて備えているものである。こ
れらの作用を土壌体の中ですることや、肥料濃度を高くすることで水やりの回数
が縮小し、気化せず長期間使用が可能となる。又、室内においてもノニオン樹脂
の縮小する日数や期間に応じて約１〜３ヶ月の水やりや肥料やりを省くことがで
きる。  
日本の国土が酸性度により、植物作物に携わる農家では、酸性土壌をアルカリ
性に変換し植物作物を栽培してきたものである。  
又、この土壌を保水させるために、籾殻や腐葉土などが使用され、有機農法に
より微生物が植物作物より出る有機酸を食し、栽培され又、殺菌消毒して再度土
壌を使用してきた。  
この作用はノニオン樹脂が、肥料と保水と根腐れ防止又、植物栽培の適合する
壌土のコントロールを同時に行う土壌改良剤土壌体の代用であり、降雨のない地
域での植物作物の土壌剤として又、イオン交換樹脂の併用による根腐れ防止剤の
肥料として使用が可能である。
【図面の簡単な説明】
【０１５９】
【図１】本発明の第一実施形態の説明図。
【図２】同第二実施形態の説明図。
【図３】本発明の製造方法の実施形態の説明図（ブロック体形状）。
【図４】同図（シート体形状）。
【図５】同第一使用例の説明図。
【図６】同第二使用例の説明図。
【図７】同第三使用例の説明図。
【図８】同第四使用例の説明図。
【図９】同第五使用例の説明図。
【図１０】同第五使用例の別例の説明図。
【図１１】同第六使用例の説明図。
【図１２】同第七使用例の説明図。
【図１３】同第七使用例の別の保水体の構造説明図。
【図１４】ノニオン樹脂による細菌繁殖抑制効果確認試験の試験装置を示す図である。
【図１５】土壌体の植物をノニオン樹脂培地に植え替えた後の植物の変化を示す図である。
【図１６】水耕栽培の鉢底にノニオン樹脂を使用した例を示す図である。
【図１７】水耕栽培の鉢底にノニオン樹脂を使用した例を示す図である。
【図１８】水耕栽培の鉢底にノニオン樹脂を使用した例を示す図である。
【図１９】土栽培の鉢底にノニオン樹脂を使用した例を示す図である。
【図２０】土栽培の鉢底にノニオン樹脂を使用した例を示す図である。
【図２１】土栽培の鉢底にノニオン樹脂を使用した例を示す図である。
【図２２】花壇やプランターでノニオン樹脂のガーデンマットを使用した例を示す図である。
【図２３】砂漠や街路地でノニオン樹脂のガーデンマットを使用した例を示す図である。
【図２４】ノニオン樹脂を水耕栽培に使用した例を示す図である。
【図２５】水質検査結果表である。
【図２６】気体の水に対する溶解度を示す表である。
【図２７】土壌体の植物培地の実験を示す図である。
【図２８】土壌体の植物培地の実験を示す図である。
【図２９】植物栽培の例である。
【図３０】抗菌剤の成分を示す図である。
【符号の説明】
【０１６０】
１  土壌培地
２  観葉植物
２ａ  草花植物
２１，２１ａ  根
３  イオン交換樹脂
４，４ａ  馴化培地
５  容器
６  吸水ポリマー製人工培土
３１  古紙
３２  木綿
３３  ミキサー
３４  粉砕セルロース
３５  吸水樹脂
３６  水
３７  型
３８  抗菌剤
３９  保形剤
４０  液肥
４０ａ  固形肥料
４１  周面被膜
４１ａ  被覆体
４２  透水性被膜
４３  非透水性被膜
４４  珪酸塩白土又はシリカ
Ａ，Ｂ，Ｃ，Ｄ，Ｅ，Ｆ，Ｇ，Ｈ，Ｉ，Ａ１，Ｄ１，Ｉ１    保水体
ａ  他のポリマー培地
ｂ  植物
ｃ  水
ｄ  鉢
ｅ  土  
【図１】
2005000176.tif 000005
【図２】
2005000176.tif 000006
【図３】
2005000176.tif 000007
【図４】
2005000176.tif 000008
【図５】
2005000176.tif 000009
【図６】
2005000176.tif 000010
【図７】
2005000176.tif 000011
【図８】
2005000176.tif 000012
【図９】
2005000176.tif 000013
【図１０】
2005000176.tif 000014
【図１１】
2005000176.tif 000015
【図１２】
2005000176.tif 000016
【図１３】
2005000176.tif 000017
【図１４】
2005000176.tif 000018
【図１５】
2005000176.tif 000019
【図１６】
2005000176.tif 000020
【図１７】
2005000176.tif 000021
【図１８】
2005000176.tif 000022
【図１９】
2005000176.tif 000023
【図２０】
2005000176.tif 000024
【図２１】
2005000176.tif 000025
【図２２】
2005000176.tif 000026
【図２３】
2005000176.tif 000027
【図２４】
2005000176.tif 000028
【図２５】
2005000176.tif 000029
【図２６】
2005000176.tif 000030
【図２７】
2005000176.tif 000031
【図２８】
2005000176.tif 000032
【図２９】
2005000176.tif 000033
【図３０】
2005000176.tif 000034